(57)【要約】【課題】電気を使用することなく、ろ過スクリーン及び保護管を洗浄できるようにして、ランニングコストの大幅な低減を図ることができる水処理装置を得ることを目的とする。【解決手段】原水をろ過する円筒形スクリーン２が設けられたろ過処理室１０１および開閉弁４が設けられたドレン室１０２を備えた容器１と、ろ過処理室１０１に吸引ノズル３ｂを備えるとともに、ドレン室１０２に吐出口３ｃを備えている回転洗浄器３と、ろ過処理室１０１に設けられた紫外線照射器１１とから構成したものである。【選択図】図１
2007125511.tif 000002
【特許請求の範囲】
【請求項１】
原水をろ過する円筒形スクリーンが設けられたろ過処理室および開閉弁が設けられたドレン室を備えた容器と、
前記ろ過処理室に吸引ノズルを備え、前記ドレン室に吐出口を備えた回転洗浄器と、
前記ろ過処理室に設けられた紫外線照射器と
からなることを特徴とする水処理装置。
【請求項２】
原水をろ過する円筒形スクリーンが設けられたろ過処理室および開閉弁が設けられたドレン室を備えた容器と、
前記ろ過処理室に吸引ノズルを備え、前記ドレン室に吐出口を備えた回転洗浄器と、
前記回転洗浄器を軸心方向に往復動させる往復動手段と、
前記ろ過処理室に設けられた紫外線照射器と
からなることを特徴とする水処理装置。
【請求項３】
前記紫外線照射器は、紫外線ランプと、保護管と、前記往復動手段に連動する保護管洗浄具とからなることを特徴とする請求項２記載の水処理装置。
【発明の詳細な説明】
【技術分野】
【０００１】
この発明は、原水に対して紫外線処理とろ過処理を行う水処理装置に関し、特にろ過スクリーンを洗浄する洗浄機構を有する水処理装置に関するものである。
【背景技術】
【０００２】
従来、比較的清澄な水を飲用水等に利用するために、紫外線照射器で処理対象の水に紫外線照射して消毒処理を行う水処理装置がある。
水処理装置の紫外線照射器で処理対象の水に紫外線を照射することで、水中の微生物や細菌類等のＤＮＡやＲＮＡに作用して増殖機能が破壊される。これにより、微生物や細菌類等が不活性化されて消毒が行われる。
しかし、紫外線を照射することで、水中に溶存する金属イオンと酸素の結合を促進する副作用が生じる。金属イオンと酸素が結合することにより、不溶性酸化物が生成され、不溶性酸化物が水中を懸濁性物質として浮遊することになる。このような水は、飲用水としては不適格である。
そこで、従来の水処理装置は、紫外線照射の副産物として生成された不溶性酸化物等の懸濁性物質を除去するため、紫外線処理の後段に、ろ過器を設けてろ過処理を行うようにしている。
【０００３】
また、汚水に対して、オゾン、過酸化水素、次亜塩素酸等の酸化剤を投入した後に、紫外線照射器が汚水に紫外線を照射する水処理装置がある。
この場合、酸化剤による酸素の投入と、紫外線照射による促進作用によって、汚水中の溶存物質が酸化されて不溶性酸化物が生成される。
この水処理装置は、紫外線処理の後段にろ過器が設けられ、生成された不溶性酸化物である懸濁性物質を除去するろ過処理が行われる。
この水処理装置では、通常の酸化剤を投入するだけの処理では分解が困難な難分解性物質も酸化させて不溶性酸化物に分解することができるが、酸化剤を投入している分、より多くの不溶性酸化物が生成されるので、紫外線処理の後段に酸化物等の懸濁性物質を除去するためのろ過器を設けて、ろ過処理を行うことが一般的となっている。
【０００４】
以下の特許文献１には、送水管から廃水を廃水槽内に導入して、その廃水を酸化処理したのち、その廃水を排水管から排出する一方、送気管から空気とオゾンの混合気体を石英ガラス管内に導入し、その混合気体を廃水に吹き込んで廃水処理を実施したのち、その混合気体を排気管から排出する水処理装置が開示されている。
この水処理装置の石英ガラス管内に導入された混合気体は、石英ガラス管と水銀ランプの間隙を通過する間に、水銀ランプから照射される紫外線によって励起エネルギーを得てオゾン濃度が高められる。
廃水槽内では、吹き込まれた溶存オゾンと紫外線エネルギーの併用により廃水の酸化分解反応が行われる。
【０００５】
一方、懸濁性物質を多く含む水に対して、紫外線照射器で紫外線を照射して消毒処理を行う水処理装置がある。
この場合、紫外線照射器により照射された紫外線が懸濁性物質によって拡散や減衰されて、消毒能力が低下してしまうことがある。
そこで、従来の水処理装置では、紫外線処理の前段に、懸濁性物質を除去するろ過処理を実施するようにして、紫外線処理による消毒効果を十分に発揮できるようにしている。
【０００６】
ところで、これらの水処理装置で使用されている紫外線照射器は、一般的に、紫外線を発生する紫外線ランプと、その紫外線ランプを保護する保護管とから構成されており、紫外線ランプは、水と直接的に接触していないが、保護管の外面が処理対象の水と直接接触している状態にある。
このため、紫外線照射器を使用し続けるにつれて、保護管の外面に、懸濁性物質や、紫外線処理で生成されてしまった不溶性の酸化物が付着してくる。
保護管外面の付着物が増えてくると、それが障害となって紫外線の照射量が低下し、紫外線処理の消毒能力が低下する。
そこで、従来の紫外線照射器では、保護管の外面を洗浄する保護管洗浄具を備えて、所定時間毎、あるいは、紫外線照射量が所定値以下まで低下したときに保護管洗浄具を稼動して、定期的に保護管を洗浄するようにしている。
【０００７】
以下の特許文献２には、紫外線ランプの保護管の長手方向に向けて移動することにより、紫外線ランプの保護管の外周表面を拭くワイパー機構を設置している水処理装置が開示されている。
なお、この水処理装置のワイパー機構は、電動モータにより稼動される構造になっている。
【０００８】
【特許文献１】実公昭５７−８９５８号公報
【特許文献２】特開２００１−６２４１５号公報
【発明の開示】
【発明が解決しようとする課題】
【０００９】
従来の水処理装置では、処理対象の水に紫外線を照射することにより発生する副産物である不溶性酸化物（懸濁性物質）を除去するためにろ過器を設けているが、不溶性酸化物の粒子径が小さいことを考慮すると、目幅が細かいスクリーンを使用する必要がある。しかし、スクリーンの目幅が細かくなると、短時間でスクリーン面に付着物が堆積して、目詰まりが発生してろ過水量が低下する現象が発生する。
従来のろ過器では、ろ過水量が低下した場合、ろ過水等の清澄水を用いて、ろ過器に逆洗浄して目詰まりを解消させるが、この逆洗浄を行う間隔が短いと、それだけ多くのろ過水等の清澄水を使用してしまう問題があった。逆洗浄時には、ろ過器のスクリーンのろ過水側に、ろ過水等の清澄水を加圧ポンプで加圧して送水する必要があり、多くの電力を消費する問題があった。
【００１０】
特に、酸化剤を投入した後に紫外線処理を行う水処理装置では、多量の不溶性酸化物が発生することから、更に短期間で、ろ過器のスクリーンが目詰まりしてしまうため、逆洗浄で多量のろ過水等の清澄水を使用してしまうと同時に、加圧ポンプ等の消費電力が大きくなる問題があった。
【００１１】
また、従来の水処理装置では、紫外線照射器とろ過器を別々の機器として設置して、配管で接続するようにしているが、この場合、水処理装置の設置に必要な面積が嵩むと同時に、現場における配管作業が多くなるため、施工に係るコストが嵩む問題があった。
【００１２】
従来の水処理装置における紫外線照射器の保護管洗浄具は、電動モータでワイパー機構を稼動させて、保護管の外面表面の付着物を除去するようにしているが、水処理装置の周辺の空気の湿度が高いため、絶縁不良等による電動モータ等の故障が多く、交換費用が嵩む問題があった。また、電動モータ等が故障すると、保護管洗浄具が正常に稼動しないため、保護管の外面表面の付着物を洗浄できない状態や、洗浄が不十分な状態となり、紫外線照射器による消毒能力が低下してしまうことがある問題があった。
【００１３】
この発明は上記のような課題を解決するためになされたもので、ろ過水等の清澄水を使用することなく、ろ過スクリーンを洗浄できるようにして、実質的な処理水量の増加を図ることができる水処理装置を得ることを目的とする。
また、電気を使用することなく、ろ過スクリーン及び保護管を洗浄できるようにして、ランニングコストの大幅な低減を図ることができる水処理装置を得ることを目的とする。
【課題を解決するための手段】
【００１４】
この発明に係る水処理装置は、原水をろ過する円筒形スクリーンが設けられたろ過処理室および開閉弁が設けられたドレン室を備えた容器と、そのろ過処理室に吸引ノズルを備えるとともに、そのドレン室に吐出口を備えている回転洗浄器と、ろ過処理室に設けられた紫外線照射器とから構成したものである。
【００１５】
また、この発明に係る水処理装置は、原水をろ過する円筒形スクリーンが設けられたろ過処理室および開閉弁が設けられたドレン室を備えた容器と、そのろ過処理室に吸引ノズルを備えるとともに、そのドレン室に吐出口を備えた回転洗浄器と、回転洗浄器を軸心方向に往復動させる往復動手段と、そのろ過処理室に設けられた紫外線照射器とから構成したものである。
【００１６】
さらに、この発明に係る水処理装置は、紫外線照射器を紫外線ランプと、保護管と、往復動手段に連動する保護管洗浄具とから構成したものである。
【発明の効果】
【００１７】
この発明に係る水処理装置は、ドレン室の開閉弁を開弁して大気開放することで、ろ過処理室とドレン室との間で水圧差が発生し、回転洗浄器のろ過処理室に配設されている吸引ノズル側が高圧となり、ドレン室に配設されている吐出口側が低圧となることにより、吸引ノズルに吸引力が発生して円筒形スクリーン内面の付着物を吸引してドレン室から排出することができる。よって、従来のろ過器で、スクリーン付着物の除去作業として行われる逆洗浄のように、ろ過水等の清澄水を使用してしなくてもよいという大きな効果がある。
【００１８】
特に、工場廃水等の難分解性物質を多く含む汚水について、酸化剤を投入した後、紫外線処理を行って水中の溶存物質の酸化を促進する水処理装置の場合には、紫外線処理後に多量の不溶性酸化物が発生することから、ろ過器の付着物の付着量が増大するため、逆洗浄を行う間隔が短くなって、多くのろ過水等の清澄水を使用するので、より大きな効果がある。
【００１９】
また、逆洗浄を行わないことから、ろ過処理水等の清澄水を加圧ポンプで加圧してスクリーンに送水する必要が無く、水処理装置で消費する電力を大幅に削減することができる効果がある。
【００２０】
さらに、この発明に係る水処理装置は、紫外線照射器とろ過器とを一体に形成していることから、設置面積を小さくすることができる。また、紫外線照射器とろ過器との配管接続作業がなくなることから、水処理装置の施工に係るコストも大幅に低減することができる。
【００２１】
請求項２の発明に係る水処理装置においては、回転洗浄器を往復動させる往復動手段を同時に備えていることから、回転洗浄器の吸引ノズルを円筒形スクリーンの内面で螺旋軌道に移動させることができる。これにより、１本当たりの吸引ノズルが円筒形スクリーンの内面を吸引洗浄する面積が大幅に増加し、回転洗浄器に配設する吸引ノズルの本数を大幅に少なくすることができる効果がある。さらに、吸引ノズルの本数を減らすことにより、吸引ノズルの吸引力が大幅に向上し、円筒形スクリーンの洗浄効果が大幅に向上する大きな効果がある。
【００２２】
請求項３の発明に係る水処理装置においては、紫外線照射器の保護管洗浄具が往復動手段の動力を利用して連動することから、従来、保護管洗浄具のワイパー機構を稼動させるのに必要であった電動モータを不要とすることができる効果がある。これにより、動作不良が起こる頻度を大幅に低減することができるため、保護管の洗浄が不十分となることがなくなり、紫外線照射器の消毒能力が低下してしまう事態の発生頻度を大幅に低減することができる大きな効果がある。
【発明を実施するための最良の形態】
【００２３】
実施の形態１．
図１はこの発明の実施の形態１による水処理装置を示す構成図である。この実施の形態１の水処理装置は、原水に対して紫外線処理を行った後に、ろ過処理を行う構成となっている。図１において、水処理装置は、主に容器１、円筒形スクリーン２、回転洗浄器３、開閉弁４、制御器５、紫外線照射器１１及び保護管洗浄具１２で構成されている。
【００２４】
容器１はろ過処理室１０１とドレン室１０２から構成されており、ろ過処理室１０１とドレン室１０２は容器１内の隔壁１ａにより分割されている。
容器１のろ過処理室１０１は原水前室１０１Ａと原水室１０１Ｂとろ過水室１０１Ｃから構成されており、ろ過処理室１０１内には、隔壁１ａと支持部材１ｂによって円筒形スクリーン２が設置されている。
ろ過処理室１０１の原水前室１０１Ａは支持部材１ｂと容器１の内周面に囲まれた空間であり、原水前室１０１Ａは、容器１の壁面に配設されている原水流入口１ｃから導入された原水を一時的に貯留する部屋である。
なお、ろ過処理室１０１の原水前室１０１Ａには紫外線照射器１１及び保護管洗浄具１２が設置されている。
【００２５】
ろ過処理室１０１の原水室１０１Ｂは円筒形スクリーン２の内周面と、隔壁１ａと、支持部材１ｂとに囲まれた空間であり、支持部材１ｂを境にして、原水前室１０１Ａと隣接している。
ただし、支持部材１ｂには開口があるため、原水前室１０１Ａ内の原水は、原水室１０１Ｂに移動可能であり、原水前室１０１Ａから原水室１０１Ｂに移動する際、その原水に含まれている大まかな夾雑物が支持部材１ｂに付着するため、原水室１０１Ｂには、大まかな夾雑物が除去された原水が貯留されることになる。
このため、詳細は後述するが、円筒形スクリーン２の内周面に対する付着物の蓄積速度を低下させることができる。
【００２６】
ろ過処理室１０１のろ過水室１０１Ｃは円筒形スクリーン２の外周面と、容器１の内周面と、隔壁１ａと、支持部材１ｂとに囲まれた空間であり、ろ過水室１０１Ｃは、容器１の壁面に配設されているろ過水流出口１ｄから水処理装置の外部に流出させるろ過処理水を貯留する部屋である。
容器１のドレン室１０２は円筒形スクリーン２の付着物などが含まれているドレン排水を貯留する部屋であり、容器１の壁面に配設されている排水口１ｅからドレン排水を排水する。なお、容器１の材質には、鉄、銅、ステンレス、チタン等の金属や樹脂が適用可能であるが、剛性、耐腐食性および製造コストを勘案するとステンレスが最も望ましい。
【００２７】
円筒形スクリーン２はろ過処理室１０１内に設置され、原水に含まれている夾雑物を付着させて、原水から夾雑物を除去するものである。円筒形スクリーン２は、ステンレスのメッシュを円筒形に成型して製作してもよいし、金属板に所定間隔で孔を空けたパンチングメタルを円筒形に成型し、その内側にろ過スクリーンを貼り付けた構成としてもよい。円筒形スクリーン２は、ステンレス製パンチングメタルの円筒の内側に樹脂製メッシュをろ過スクリーンとして貼り付けた構成が最も望ましい。
回転洗浄器３はろ過処理室１０１の原水室１０１Ｂとドレン室１０２とを連通するように配設され、回転洗浄器３は、円筒形スクリーン２の内周面に沿って回転することにより、原水と一緒に円筒形スクリーン２の付着物を吸引して、円筒形スクリーン２の内周面全体の付着物を除去する。
なお、回転洗浄器３は、ろ過処理室１０１の原水室１０１Ｂとドレン室１０２を連通する連通管３ａと、その連通管３ａの原水室１０１Ｂ側の外周面に配設された吸引ノズル３ｂと、連通管３ａのドレン室１０２側に設けられ、吐出口３ｃを備えた立上部３ｄとで主に構成されている。
【００２８】
回転洗浄器３の連通管３ａは両端が溶接等によって蓋で閉塞されており、各蓋にはシャフト３ｅ，３ｆが連通管３ａの管軸と同軸となるように連結されている。
シャフト３ｅ，３ｆは、容器１の支持部材１ｂ及び軸受１ｈに対して回動自在に支持されており、これによって、回転洗浄器３は、連通管３ａの管軸を中心に回動するようになっている。
回転洗浄器３の吸引ノズル３ｂは先端に開口が施されており、その先端が円筒形スクリーン２の内面側の近傍に位置するように配置されている。吸引ノズル３ｂの先端は、回転洗浄器３が回転しても、円筒形スクリーン２の内面側に対する距離が変化しないようになっている。
【００２９】
なお、吸引ノズル３ｂは、連通管３ａの同一円周面において、１つあれば十分であるが、複数配置すれば、より洗浄能力が向上する。ただし、吸引ノズル３ｂの吸引力は、回転洗浄器３に配設された吸引ノズル３ｂの総個数に反比例して低下する特性があるので、同一円周面上に複数個配設する場合には、回転洗浄器３が作動するときの原水室１０１Ｂとドレン室１０２（回転洗浄器３の作動時のドレン室１０２の内圧は大気圧）との内圧差が大きくなるように、原水流入口１ｃから流入する原水の水圧を高くして原水室１０１Ｂの内圧を高める必要がある。
また、吸引ノズル３ｂの管軸方向の設置間隔であるが、これは１つの吸引ノズル３ｂが付着物を吸引可能な管軸方向の幅に基づいて設定する。
【００３０】
回転洗浄器３の立上部３ｄは、ドレン室１０２側の連通管３ａの外周面に対して放射状に立ち上げられた部位であり（２つの立上部３ｄは管軸を中心に対称に立上げられている）、立上部３ｄには、先端近傍の周面で連通管３ａの円周面の接線方向に吐出口３ｃがそれぞれ設けられている。
２本の立上管３ｄの吐出口３ｃの向きは、吐出口３ｃからの吐出水の水勢により発生する回転力が同一方向に働くように設けられている。
なお、回転洗浄器３の材質には、鉄、銅、ステンレス、チタン等の金属や樹脂が適用可能であるが、剛性、耐腐食性および製造コストを勘案するとステンレスが最も望ましい。ただし、円筒形スクリーンの洗浄時は、回転洗浄器３が高速で回転するため、吸引ノズル３ｂの先端が、どうしても円筒形スクリーン２の内周面に多少接触してしまう。このため、円筒形スクリーン２を破損しないように、最低でも吸引ノズル３ｂの先端部分は、樹脂で覆う等することが望ましい。
【００３１】
開閉弁４は円筒状の弁箱４ａ、弁体４ｂ及びバネ４ｃから主に構成されている。
開閉弁４の弁箱４ａの周面には流入口４ｄが設けられており、容器１のドレン室１０２にある排水口１ｅと連結している。
また、弁箱４ａの円形側面の一方には、排水用の大径の排出口４ｅが設けられており、他方には小径の取出口４ｆが設けられている。
開閉弁４の弁体４ｂは弁箱４ａに内蔵されており、弁体４ｂが側面の流入口４ｄを閉塞する位置よりも排出口４ｅ側に移動できないように、係止部４ｈが弁箱４ａの内面に設けられている。
【００３２】
開閉弁４のバネ４ｃは一端が弁箱４ａの取出口４ｆを有する円形側面に連結され、他端が弁体４ｂの円形側面に連結されており、バネ４ｃは、弁箱４ａの取出口４ｆを有する円形側面と弁体４ｂの円形側面が縮む方向に付勢している。
空間内が大気圧の場合には、開閉弁４内にバネ４ｃが設けられていることにより、弁体４ｂが取出口４ｆ側に移動して、流入口４ｄと排出口４ｅとが連通し、開閉弁４が開いた状態となるが、空間内に水が充水されて加圧状態となると、バネ４ｃの付勢力よりも水圧の方が勝るため、弁体４ｂが排出口４ｅ側に移動して、開閉弁４が閉じた状態となる。
【００３３】
制御器５は内部にダイヤフラム５ａ，５ｂが配置されて、内部の空洞が第１室５０１、第２室５０２、第３室５０３及び第４室５０４の４つの部屋に分割されている構造となっている。
制御器５のダイヤフラム５ａは第１室５０１と第２室５０２を分けており、例えば、ドレン室１０２の水圧が上昇して、第２室５０２の水圧が第１室５０１の水圧よりも高くなると、中央部が第１室５０１側に変形して、弁体５ｇを図中左側に押し圧する。
制御器５のダイヤフラム５ｂは第３室５０３と第４室５０４を分けており、例えば、第３室５０３にろ過処理水が流入して、第３室５０３の水圧が第４室５０４の水圧よりも高くなると、中央部が第４室５０４側に変形して、弁体５ｑを図中右側に押し圧する。
なお、ダイヤフラム５ｂには孔が設けられているが、その孔が弁体５ｑと勘合していることで、その孔が閉じられている。
【００３４】
制御器５の第１室５０１は、一部に円柱状の突出空間部５ｃを有する空洞で形成されている。
第１室５０１の突出空間部５ｃには取出口５ｄが設けられており、その取出口５ｄは連通管５ｆを介して第３室５０３の取出口５ｍと連結されている。
第１室５０１の突出空間部５ｃ以外の空洞部には取出口５ｅが設けられており、その取出口５ｅは連通管５ｉを介してろ過水室１０１Ｃの取出口１ｆと連結されている。
弁体５ｇは突出空間部５ｃに挿入されており、一端がダイヤフラム５ａによって支持され、他端がバネ５ｈによって付勢されている。弁体５ｇは、ダイヤフラム５ａが変形しない限り、一定の位置に停止して取出口５ｄを閉塞している。
バネ５ｈは突出空間部５ｃの先端（図中、左端）と弁体５ｇの他端（図中、弁体５ｇの左端）の間に挿入され、弁体５ｇを突出空間部５ｃから押し出す方向（図中、右側）に付勢している。
【００３５】
制御器５の第２室５０２には取出口５ｊが設けられており、その取出口５ｊは連通管５ｋを介してドレン室１０２の取出口１ｇと連結されている。
制御器５の第３室５０３には取出口５ｍが設けられており、この取出口５ｍは連通管５ｆを介して第１室５０１の取出口５ｄと連結されている。
【００３６】
制御器５の第４室５０４は、一部に円柱状の突出空間部５ｎを有する空洞で形成されている。
第４室５０４の突出空間部５ｎの奥（図中、右端）には、室外に排水するための流出口５ｐが設けられている。
弁体５ｑは流出口５ｐ側から突出空間部５ｎに挿入されており、一端がダイヤフラム５ｂによって支持され、他端がバネ５ｒによって付勢されている。弁体５ｑは、ダイヤフラム５ｂが変形しない限り、一定の位置に停止して、第４室５０４から流出口５ｐへの流路を閉塞している。
バネ５ｒは突出空間部５ｎの縮径部分に当接する方向に付勢している。
【００３７】
なお、弁体５ｑの内部には、第３室５０３内の水を少量ずつ第４室５０４の流出口５ｐから排出させるために連通孔５ｓが設けられている。このため、通常時は、第３室５０３は大気圧の状態となっている。
このほか、第４室５０４には取出口５ｔ，５ｕが設けられており、取出口５ｔは、外部から補給水管５ｚを介して第４室５０４内に補給水を流入させるために設けられている。また、取出口５ｕは、連通管５ｖを介して開閉弁４の取出口４ｆと連結されており、通常時は、取出口５ｔから流入する補給水が第４室５０４を経由して、開閉弁４の取出口４ｆへ供給されるため、開閉弁４は閉じた状態となっている。
【００３８】
紫外線照射器１１は原水前室１０１Ａに設置され、紫外線ランプ１１ａ及び保護管１１ｂから構成されている。
紫外線照射器１１の紫外線ランプ１１ａは原水前室１０１Ａに導入された原水に紫外線を照射して消毒処理を行う。紫外線ランプ１１ａには、低圧型水銀ランプが最適であるが、中圧型水銀ランプや高圧型水銀ランプも適用可能である。
紫外線照射器１１の保護管１１ｂは紫外線ランプ１１ａの周囲に設置され、原水が直接紫外線ランプ１１ａに接触しないように、紫外線ランプ１１ａを保護している。保護管１１ｂは、材質に紫外線に対して耐久性の高い石英ガラスを適用すると最適である。また、紫外線透過率の高い合成石英ガラスを使用したオゾン発生ランプを使用しても良い。
【００３９】
保護管洗浄具１２は原水前室１０１Ａに設置され、ワイパー１２ａ及びフレーム１２ｂから構成されている。
保護管洗浄具１２のワイパー１２ａは紫外線照射器１１の保護管１１ｂの外周表面と接触するようにフレーム１２ｂに支持され、回転洗浄器３の回転に伴って保護管１１ｂの外周面に沿って回転して、保護管１１ｂの外周表面の付着物を拭き取る。
保護管洗浄具１２のフレーム１２ｂは一端が回転洗浄器３のシャフト３ｅと連結され、回転洗浄器３が回転すると、紫外線照射器１１の周囲を回転する。
【００４０】
次に動作について説明する。
図１の水処理装置における通常時のろ過処理においては、開閉弁４の弁体４ｂが側面の流入口４ｄを閉塞する位置に停止しており、ドレン室１０２内のドレン排水が、排出口４ｅから排水されない状態になっている。
原水流入口１ｃから流入する原水は、ろ過処理室１０１の原水前室１０１Ａに貯留された後、支持部材１ｂの開口を通じて、原水室１０１Ｂに流入するが、原水前室１０１Ａに貯留されている間、紫外線照射器１１の紫外線ランプ１１ａにより紫外線が照射されて、消毒処理が行われる。
ただし、紫外線照射器１１の紫外線ランプ１１ａが紫外線を照射して、原水の消毒処理を継続すると、上述したように不溶性の酸化物が生成されるため、不溶性の酸化物や元々原水に含まれていた懸濁性物質が紫外線照射器１１の保護管１１ｂの表面に付着する。
保護管１１ｂの表面の付着物が増えてくると、その付着物が障害となって紫外線の照射量が低下し、紫外線による消毒能力が低下する。
【００４１】
その後、原水室１０１Ｂに達した原水は、円筒形スクリーン２を通過してろ過水室１０１Ｃに達するが、その原水に含まれている夾雑物（円筒形スクリーン２を通過できない不純物）は、円筒形スクリーン２の内周面に付着するため、ろ過水室１０１Ｃに達した水は、ろ過処理水となる。
ろ過水室１０１Ｃ内のろ過処理水は、ろ過水流出口１ｄから水処理装置の外部に流出される。
【００４２】
一方、円筒形スクリーン２を通過できない不純物は、付着物として、円筒形スクリーン２の内周面に堆積され、この付着物の堆積量が増大していくと、原水室１０１Ｂ内の原水の水圧と、ろ過水室１０１Ｃ内のろ過処理水の水圧との間の差圧が比例して増大し、これに伴って、円筒形スクリーン２によるろ過処理量が減少する。
そこで、この実施の形態１では、この原水の水圧と、ろ過処理水の水圧との間の差圧が所定値以上になると、回転洗浄器３を作動させて、円筒形スクリーン２の内周面の付着物を除去（洗浄）するとともに、紫外線照射器１１の保護管１１ｂの外周表面における付着物を除去（洗浄）するようにしている。
以下、円筒形スクリーン２及び保護管１１ｂの洗浄時の動作フローを詳細に説明する。
【００４３】
（１）上記の通り、円筒形スクリーン２の内周面における付着物の堆積量が増大してくると、原水室１０１Ｂ及びドレン室１０２の水圧が上昇する。
（２）ドレン室１０２の水圧は、制御器５の第２室５０２に伝達されており、ろ過水室１０１Ｃの水圧は、制御器５の第１室５０１に伝達されている。
ドレン室１０２の水圧が上昇すると、制御器５の第２室５０２の水圧が第１室５０１の水圧より高くなり、ダイヤフラム５ａが第１室５０１側に変形する。
【００４４】
（３）ダイヤフラム５ａが第１室５０１側に変形すると、第１室５０１の弁体５ｇがダイヤフラム５ａに押し圧される。
第１室５０１では、通常時は、伸びる方向に付勢するバネ５ｈによって弁体５ｇが押し上げられており（図中、右側に押している）、弁体５ｇが連通管５ｆに対する取出口５ｄを塞いでいるが、バネ５ｈの反力以上の力で、ダイヤフラム５ａにより押し圧されると、弁体５ｇが図中左側に移動して取出口５ｄが開かれる。
（４）弁体５ｇが移動して取出口５ｄが開くと、第１室５０１内の水が連通管５ｆを通じて第３室５０３に流れ込むようになる。
第１室５０１には、ろ過水室１０１Ｃ内のろ過処理水が常時流入してくるため、継続して、第１室５０１内の水が第３室５０３に流入する。
このとき、第３室５０３内のろ過処理水は、第４室５０４に配設されている弁体５ｑの連通孔５ｓを通過して、突出空間部５ｎの排水口５ｐから排水されるが、この排水量は、第１室５０１から第３室５０３に流入する流入水量よりも大幅に少ないため、第３室５０３内はろ過処理水で満たされる。
【００４５】
（５）さらに継続して、第３室５０３にろ過処理水が流入するため、ダイヤフラム５ｂが第４室５０４側に変形する。
これにより、ダイヤフラム５ｂに固定されている弁体５ｑには、弾性バネ５ｒの反力以上の力がかかって押し下げられるため（図中、右側に移動）、第４室５０４と流出口５ｐとの流路が開かれて、第４室５０４内の水が流出口５ｐから排水される。
（６）このとき、第４室５０４には、補給水管５ｚから補給水が常時流入するようになっているが、その流入量は、弁体５ｑが開いて、流出口５ｐから排水される排水量よりも少ないため、第４室５０４内の圧力は大気圧程度にまで低下する。
【００４６】
（７）第４室５０４内の圧力が大気圧程度にまで低下すると、開閉弁４内に充水されている水は、取出口４ｆから連通管５ｖを通じて第４室５０４に流入して、流出口５ｐから排水される。
これにより、開閉弁４の弁体４ｂを排出口４ｅ側に押す力が少なくなるため、バネ４ｃの縮む方向の付勢力によって弁体４ｂが図中左側に移動して流入口４ｄが開き、ドレン室１０２内のドレン排水が流入口４ｄを通じて、排出口４ｅから排出され始める。
（８）ドレン室１０２内のドレン排水の排出が開始されることにより、ドレン室１０２内の水圧が急激に低下して、原水室１０１Ｂとの間に圧力差が生じると、回転洗浄器３の吸引ノズル３ｂに吸引力が発生する。
回転洗浄器３の吸引ノズル３ｂに吸引力が発生すると、吸引ノズル３ｂの先端の開口から原水室１０１Ｂ内の原水と一緒に、円筒形スクリーン２の内周面の付着物が吸引される。
【００４７】
（９）回転洗浄器３の吸引ノズル３ｂにより吸引された原水と付着物は、連通管３ａを通じて、立上部３ｄの吐出口３ｃから排水される。
また、この吐出したときの水勢によって、連通管３ａに回転力が与えられて、回転洗浄器３が連通管３ａの管軸を中心に回転運動を開始する。
（１０）回転洗浄器３の吸引ノズル３ｂは、円筒形スクリーン２の内周面に沿って回転しながら、原水と一緒に付着物を吸引することにより、円筒形スクリーン２の内周面全体の付着物を除去する。
【００４８】
（１１）（９）のとき、回転洗浄器３が連通管３ａの管軸を中心に回転運動を開始すると、回転洗浄器３のシャフト３ｅに連結されている保護管洗浄具１２のフレーム１２ｂも回転運動を開始する。
保護管洗浄具１２のフレーム１２ｂにはワイパー１２ａが支持されているので、保護管洗浄具１２のフレーム１２ｂが回転運動を開始すると、ワイパー１２ａが紫外線照射器１１の保護管１１ｂの外周表面と接触しながら回転するため、保護管１１ｂの外周表面に付着されている不溶性の酸化物等の付着物がワイパー１２ａに掻き取られるようになる。
（１２）一方、（７）のとき、開閉弁４が開いてドレン室１０２内の水圧が低下することにより、ドレン室１０２とろ過水室１０１Ｃとの間の水圧差が低下する。
これにより、第１室５０１と第２室５０２との間の水圧差も低下して、ダイヤフラム５ａが元の位置に戻り（変形が解消）、弁体５ｇもバネ５ｈの付勢力によって元の位置に戻って、突出空間部５ｃの取出口５ｄが再び塞がれる。
【００４９】
（１３）突出空間部５ｃの取出口５ｄが閉塞されると、第３室５０３に対するろ過処理水の流出が停止するが、第３室５０３から連通孔５ｓを通じて流出口５ｐへ排水される水は少量ずつ排水するようになっており、開閉弁４が開いてから連通孔５ｓからの排水で第３室５０３内の圧力が低下して、ダイヤフラム５ｂ及び第４室５０４の弁体５ｑが元の位置に戻るまでの時間が、円筒形スクリーン２の内周面全体の付着物を十分除去できる時間となるように制御器５が構成されているので、ダイヤフラム５ｂが元の位置に戻るまでの間で、円筒形スクリーン２の内周面の付着物が回転洗浄器３によって十分に除去される。
連通孔５ｓからの排水で第３室５０３内の圧力が低下することにより、ダイヤフラム５ｂ及び第４室５０４の弁体５ｑが元の位置に戻って、第４室５０４から流出口５ｐへの流路が再び閉じられ、第４室５０４からの排水が停止する。
【００５０】
（１４）補給水管５ｚから第４室５０４に補給水が流入することにより、第４室５０４内に補給水が充填され、さらに、第４室５０４から開閉弁４の取出口４ｆに給水される。
これにより、開閉弁４の弁体４ｂが水圧で元の位置に戻って、開閉弁４の流入口４ｄが閉じられ、ドレン室１０２からのドレン排水が停止する。
（１５）その後、吐出口３ｃからの吐出水によってドレン室１０２内の水圧が上昇して、原水室１０１Ｂと同圧になると、吸引ノズル３ｂの吸引力がなくなる。
また、立上部３ｄの吐出口３ｃからの吐出水も停止し、連通管３ａへの回転力もなくなるため、回転洗浄器３の回転運動が停止し、円筒形スクリーン２の洗浄作業が終了する。また、紫外線照射器１１の保護管１１ｂの洗浄作業も終了する。
【００５１】
以上で明らかなように、この実施の形態１によれば、ドレン室１０２の開閉弁４を開弁して大気開放することで、吸引ノズル３ｂに吸引力が発生して円筒形スクリーン２の内面の付着物を吸引してドレン室１０２から排出することができることから、スクリーン付着物を逆洗浄する必要がなく、ろ過水等の清澄水を使用してしなくてもよいという大きな効果がある。
また、排水口１ｅを大気開放とするための排水口１ｅの開閉制御、回転洗浄器３の回転運動のための回転動力および保護管洗浄具１２の回転運動のための回転動力に水圧を利用しており、これらの制御にも水圧を利用していることから、これらのための電気が一切不要であり、電力消費量の低減によるランニングコストの大幅な低減が図れる効果を奏する。
さらに、逆洗浄を行わないことから、ろ過処理水等の清澄水を加圧ポンプで加圧して円筒形スクリーン２に送水する必要が無く、加圧ポンプおよび逆洗浄用の配管を設置するためのイニシャルコストを削減でき、水処理装置で消費する電力を大幅に削減することができる効果がある。
【００５２】
特に、工場廃水等の難分解性物質を多く含む汚水について、オゾン、過酸化水素、次亜塩素酸等の酸化剤を投入した後、紫外線処理を行って水中の溶存物質の酸化を促進する水処理装置の場合には、紫外線処理後に多量の不溶性酸化物が発生することから、紫外線照射器１１の保護管１１ｂに付着する酸化物の付着量が増大するため、逆洗浄を行う間隔が短くなって、多くのろ過水等の清澄水を使用することになるが、この実施の形態１では、紫外線照射器１１の保護管１１ｂを洗浄するに際して、ろ過水等の清澄水を使用する必要がないので、より大きな効果がある。
【００５３】
また、この実施の形態１では、紫外線照射器１１とろ過器とを一体に形成していることから、設置面積を小さくすることができる。また、紫外線照射器１１とろ過器との配管接続作業がなくなることから、水処理装置の施工に係るコストも大幅に低減することができる効果がある。
【００５４】
実施の形態２．
図２はこの発明の実施の形態２による水処理装置を示す構成図である。この実施の形態２の水処理装置も実施の形態１の場合と同様に、原水に対して紫外線処理を行った後に、ろ過処理を行う構成となっている。図２の水処理装置は、回転洗浄器３が円筒形スクリーン２を洗浄する時、連通管３ａの軸を中心に回転運動するだけでなく、ピストン９ａとシリンダ９ｂによる往復動手段９を備えて、同時に軸方向に往復動する（吸引ノズル３ｂが円筒形スクリーン２の内面を螺旋軌道で移動すると同時に、保護管洗浄具１２のワイパー１２ｃが保護管１１ｂの外周面を螺旋軌道で移動する）点で図１の水処理装置と大きく相違している。
【００５５】
制御器５のダイヤフラム５ｗは第５室５０５の水圧を第３室５０３に伝える役割を担っている。また、第３室５０３および第４室５０４にまたがって配設されている弁体５１ｑは、実施の形態１における弁体５ｑとは、ダイヤフラム５ｗからの押し圧によっても移動するようにダイヤフラム５ｂのほかにダイヤフラム５ｗにも取り付けられた状態となっている点で異なっている。
第５室５０５には取出口５ｘが設けられており、取出口５ｘは、連通管９ｆを介して往復動手段９の取出口９ｅと連結されている。
また、第４室５０４には取出口５ｙが設けられており、取出口５ｙは、連通管９ｄを介して往復動手段９の取出口９ｃと連結されている。
【００５６】
往復動手段９はピストン９ａとシリンダ９ｂから構成されており、回転洗浄器３が円筒形スクリーン２及び紫外線照射器１１の保護管１１ｂを洗浄する際、回転洗浄器３を軸方向に往復動させる。
往復動手段９のピストン９ａは一端が回転洗浄器３の回転軸と同軸となるように、かつ回転洗浄器３が回動自在となるように接続されており、回転洗浄器３の回転軸を軸方向に往復動させる。
往復動手段９のシリンダ９ｂはピストン９ａを内包する筒状体であり、シリンダ９ｂには取出口９ｃ，９ｅが設けられている。
【００５７】
保護管洗浄具１２は原水前室１０１Ａに設置され、ワイパー１２ｃ及びフレーム１２ｂから構成されている。
保護管洗浄具１２のワイパー１２ｃは紫外線照射器１１の保護管１１ｂの外周表面と接触するようにフレーム１２ｂに支持され、回転洗浄器３の回転に伴って回転し、回転洗浄器３の回転軸方向の移動に伴って保護管１１ｂの長手方向に移動することにより、保護管１１ｂの外周表面の付着物を掻き取る。
なお、ワイパー１２ｃは例えばドーナッツ形状しており、その中心部に保護管１１ｂが挿入されている。
【００５８】
次に動作について説明する。
図２の水処理装置における通常時のろ過処理においては、図１の水処理装置と同様に、開閉弁４の弁体４ｂが側面の流入口４ｄを閉塞する位置に停止しており、ドレン室１０２内のドレン排水が、排出口４ｅから排水されない状態になっている。
原水流入口１ｃから流入する原水は、ろ過処理室１０１の原水前室１０１Ａに貯留された後、支持部材１ｂの開口を通じて、原水室１０１Ｂに流入するが、原水前室１０１Ａに貯留されている間、紫外線照射器１１の紫外線ランプ１１ａにより紫外線が照射されて、消毒処理が行われる。
ただし、紫外線照射器１１の紫外線ランプ１１ａが紫外線を照射して、原水の消毒処理を継続すると、上述したように不溶性の酸化物が生成されるため、不溶性の酸化物や元々原水に含まれていた懸濁性物質が紫外線照射器１１の保護管１１ｂの表面に付着する。
保護管１１ｂの表面の付着物が増えてくると、その付着物が障害となって紫外線の照射量が低下し、紫外線による消毒能力が低下する。
【００５９】
その後、原水室１０１Ｂに達した原水は、円筒形スクリーン２を通過してろ過水室１０１Ｃに達するが、その原水に含まれている夾雑物（円筒形スクリーン２を通過できない不純物）は、円筒形スクリーン２の内周面に付着するため、ろ過水室１０１Ｃに達した水は、ろ過処理水となる。
ろ過水室１０１Ｃ内のろ過処理水は、ろ過水流出口１ｄから水処理装置の外部に流出される。
【００６０】
一方、円筒形スクリーン２を通過できない不純物は、付着物として、円筒形スクリーン２の内周面に堆積され、この付着物の堆積量が増大していくと、原水室１０１Ｂ内の原水の水圧と、ろ過水室１０１Ｃ内のろ過処理水の水圧との間の差圧が比例して増大し、これに伴って、円筒形スクリーン２によるろ過処理量が減少する。
そこで、この実施の形態２では、この原水の水圧と、ろ過処理水の水圧との間の差圧が所定値以上になると、回転洗浄器３を作動させて、円筒形スクリーン２の内周面の付着物を除去（洗浄）するとともに、紫外線照射器１１の保護管１１ｂの外周表面における付着物を除去（洗浄）するようにしている。
以下、円筒形スクリーン２及び保護管１１ｂの洗浄時の動作フローを詳細に説明する。
【００６１】
（１）上記の通り、円筒形スクリーン２の内周面における付着物の堆積量が増大してくると、原水室１０１Ｂ及びドレン室１０２の水圧が上昇する。
（２）ドレン室１０２の水圧は、制御器５の第２室５０２に伝達されており、ろ過水室１０１Ｃの水圧は、制御器５の第１室５０１に伝達されている。
ドレン室１０２の水圧が上昇すると、制御器５の第２室５０２の水圧が第１室５０１の水圧より高くなり、ダイヤフラム５ａが第１室５０１側に変形する。
【００６２】
（３）ダイヤフラム５ａが第１室５０１側に変形すると、第１室５０１の弁体５ｇがダイヤフラム５ａに押し圧される。
第１室５０１では、通常時は、伸びる方向に付勢するバネ５ｈによって弁体５ｇが押し上げられており（図中、右側に押している）、弁体５ｇが連通管５ｆに対する取出口５ｄを塞いでいるが、バネ５ｈの反力以上の力で、ダイヤフラム５ａにより押し圧されると、弁体５ｇが図中左側に移動して取出口５ｄが開かれる。
（４）弁体５ｇが移動して取出口５ｄが開くと、第１室５０１内の水が連通管５ｆを通じて第３室５０３に流れ込むようになる。
第１室５０１には、ろ過水室１０１Ｃ内のろ過処理水が常時流入してくるため、継続して、第１室５０１内の水が第３室５０３に流入する。
このとき、第３室５０３内のろ過処理水は、第４室５０４に配設されている弁体５１ｑの連通孔５ｓを通過して、突出空間部５ｎの排水口５ｐから排水されるが、この排水量は、第１室５０１から第３室５０３に流入する流入水量よりも大幅に少ないため、第３室５０３内はろ過処理水で満たされる。
【００６３】
（５）さらに継続して、第３室５０３にろ過処理水が流入するため、ダイヤフラム５ｂが第４室５０４側に変形する。
これにより、ダイヤフラム５ｂに固定されている弁体５１ｑには、弾性バネ５ｒの反力以上の力がかかって押し下げられるため（図中、右側に移動）、第４室５０４と流出口５ｐとの流路が開かれて、第４室５０４内の水が流出口５ｐから排水される。
（６）このとき、第４室５０４には、補給水管５ｚから補給水が常時流入するようになっているが、その流入量は、弁体５１ｑが開いて、流出口５ｐから排水される排水量よりも少ないため、第４室５０４内の圧力は大気圧程度にまで低下する。
【００６４】
（７）第４室５０４内の圧力が大気圧程度にまで低下すると、開閉弁４内に充水されている水は、取出口４ｆから連通管５ｖを通じて第４室５０４に流入して、流出口５ｐから排水される。
これにより、開閉弁４の弁体４ｂを排出口４ｅ側に押す力が少なくなるため、バネ４ｃの縮む方向の付勢力によって弁体４ｂが図中左側に移動して流入口４ｄが開き、ドレン室１０２内のドレン排水が流入口４ｄを通じて、排出口４ｅから排出され始める。
（８）ドレン室１０２内のドレン排水の排出が開始されることにより、ドレン室１０２内の水圧が急激に低下して、原水室１０１Ｂとの間に圧力差が生じると、回転洗浄器３の吸引ノズル３ｂに吸引力が発生する。
回転洗浄器３の吸引ノズル３ｂに吸引力が発生すると、吸引ノズル３ｂの先端の開口から原水室１０１Ｂ内の原水と一緒に、円筒形スクリーン２の内面の付着物が吸引される。
【００６５】
（９）回転洗浄器３の吸引ノズル３ｂにより吸引された原水と付着物は、連通管３ａを通じて、立上部３ｄの吐出口３ｃから排水される。
また、この吐出したときの水勢によって、連通管３ａに回転力が与えられて、回転洗浄器３が連通管３ａの管軸を中心に回転運動を開始する。
また、回転洗浄器３の回転に伴って保護管洗浄具１２のフレーム１２ｂが回転運動を開始する。
【００６６】
（１０）一方、（７）の時と同時期において、円筒形スクリーン２の内周面全体の付着物が除去されると、ドレン室１０２とろ過水室１０１Ｃとの間の水圧差が低下する。
これにより、第１室５０１と第２室５０２との間の水圧差も低下して、ダイヤフラム５ａが元の位置に戻り（変形が解消）、弁体５ｇもバネ５ｈの付勢力によって元の位置に戻って、突出空間部５ｃの取出口５ｄが再び塞がれる。
（１１）突出空間部５ｃの取出口５ｄが閉塞されると、第３室５０３に対するろ過処理水の流出が停止する。
また、第３室５０３から連通孔５ｓを通じて流出口５ｐへ水が徐々に流出していくことによって、第３室５０３内の圧力は大気圧にまで低下していく。
【００６７】
（１２）しかし、（７）の時と同時期に、シリンダ９ｂの取出口９ｃと制御器５の第４室５０４も連通管９ｄで接続されているため、シリンダ９ｂ内の水圧も低下し始める。
そして、ピストン９ａのドレン室１０２側の水圧の方が高いため、ピストン９ａは、シリンダ９ｂの取出口９ｃ側に移動し始め、シリンダ９ｂ内の水は第４室５０４を経由して、流出口５ｐから少量ずつ排水されていくようになる。
また、シリンダ９ｂのもう１つの取出口９ｅと制御器５の第５室５０５とが連通管９ｆによって接続されているので、ピストン９ａが取出口９ｃ，９ｅ側に移動している間中、ピストン９ａで押された水の一部が第５室５０５に流入し続ける。
（１３）第１室５０１から第３室５０３への水の流入が停止した後は、第３室５０３の水圧で第４室５０４の弁体５１ｑが開いているのを継続させることができなくなるが、ピストン９ａから第５室５０５への水の流入が継続している限り（ピストン９ａが作動している限り）、第５室５０５の水圧によってダイヤフラム５ｗが第３室５０３側に変形し、それに伴って弁体５１ｑを第４室５０４側に押すことで、第４室５０４の弁体５１ｑを開いた状態に継続させる。
即ち、ピストン９ａが移動中は、第５室５０５内の水圧が高い状態を保持しているので、第４室５０４の弁体５１ｑは開いた状態を継続している。
【００６８】
（１４）吸引ノズル３ｂは、円筒形スクリーン２の内周面に沿って回転し、同時にピストン９ａが回転軸方向に移動する。つまり、円筒形スクリーン２の内周面を螺旋軌道で移動しながら、原水と一緒に付着物を吸引して、円筒形スクリーン２の内周面全体の付着物を除去する。
また、保護管洗浄具１２のワイパー１２ｃは、紫外線照射器１１の保護管１１ｂにおける外周表面に接触しながら回転し、同時に保護管１１ｂの長手方向に移動する。つまり、紫外線照射器１１の保護管１１ｂの外周面を螺旋軌道で移動しながら、保護管１１ｂに付着している不溶性酸化物等の付着物を除去する。
【００６９】
（１５）ピストン９ａが取出口９ｃ，９ｅ側の移動限界点まで移動したとき、ピストン９ａから第５室５０５への水の供給が停止し、第５室５０５内の水圧が低下して、ダイヤフラム５ｗおよび弁体５１ｑが元の位置に戻り、さらにダイヤフラム５ｂ及び第４室５０４の弁体５１ｑが元の位置に戻って、第４室５０４から流出口５ｐへの流路が再び閉じられ、第４室５０４からの排水が停止する。
（１６）補給水管５ｚから第４室５０４に補給水が流入することにより、第４室５０４内に補給水が充填され、さらに、第４室５０４から開閉弁４の取出口４ｆに給水される。
これにより、開閉弁４の弁体４ｂが水圧で元の位置に戻って、開閉弁４の流入口４ｄが閉じられ、ドレン室１０２からのドレン排水が停止する。
（１７）その後、吐出口３ｃからの吐出水によってドレン室１０２内の水圧が上昇して、原水室１０１Ｂと同圧となると、吸引ノズル３ｂの吸引力がなくなる。
また、立上部３ｄの吐出口３ｃからの吐出水も停止し、連通管３ａへの回転力もなくなるため、回転洗浄器３の回転運動が停止する。
（１８）第４室５０４からシリンダ９ｂへ水が供給され、ドレン室１０２側よりもシリンダ９ｂの取出口９ｃ，９ｅ側の水圧の方が高くなると、ピストン９ａがドレン室１０２側の移動限界点まで移動して、円筒形スクリーン２及び保護管１１ｂの洗浄作業が終了する。
【００７０】
以上で明らかなように、この実施の形態２による水処理装置によれば、実施の形態１で示した効果のほかに、回転洗浄器３の立上部３ｄの吐出口３ｃの回転運動と、ピストン９ａとシリンダ９ｂからなる往復動手段９による往復動によって、吸引ノズル３ｂ及びワイパー１２ｃを螺旋軌道で移動させる場合、制御器５によるシリンダ９ｂ内の水圧操作によって往復動を実現したので、電動機等の動力源を不要とすることができ、イニシャルコストおよび電力消費量の低減によるランニングコストの大幅な低減が図れる大きな効果を奏する。
また、吸引ノズル３ｂを円筒形スクリーン２の内面を螺旋軌道で移動させるため、１本の吸引ノズル３ｂが円筒形スクリーン２の内面の付着物を吸引する面積を大きくすることができるので、吸引ノズル３ｂの本数を大幅に減らすことができる効果を奏する。また、これによって、吸引ノズル３ｂの１本当りの吸引力が増大し、洗浄効率が大幅に向上する効果を奏する。
同様に、ワイパー１２ｃを保護管１１ｂの外周表面を螺旋軌道で移動させるため、小さなワイパー１２ｃ（ワイパー１２ｃは、図１のワイパー１２ａと比べて小さい）を用いて、保護管１１ｂに付着している不溶性酸化物等の付着物を除去することができる。また、実施の形態１におけるワイパー１２ａでは、付着物を掻き取る力は外周方向へのみ働くが、本実施の形態２におけるワイパー１２ｃでは、外周方向に係る付着物を掻き取る力に加えて、保護管１１ｂの長手方向へも掻き取る力が加わることから、より確実に付着物を除去できる効果がある。
【００７１】
実施の形態３．
図３はこの発明の実施の形態３による水処理装置を示す構成図である。この実施の形態３の水処理装置も実施の形態２の場合と同様に、原水に対して紫外線処理を行った後に、ろ過処理を行う構成となっている。図３において、図２と同一符号は同一または相当部分を示すので説明を省略する。
保護管洗浄具１２は原水前室１０１Ａに設置され、ワイパー１２ｃ及びフレーム１２ｄから構成されている。
保護管洗浄具１２のワイパー１２ｃは紫外線照射器１１の保護管１１ｂの外周表面と接触するようにフレーム１２ｄに支持されており、フレーム１２ｄは、回転洗浄器３のシャフト３ｅとは回動自在に連結されている。また、実施の形態２の場合と異なり、保護管１１ｂは、その長手方向の中心軸が、回転洗浄器３の回転軸とずれて配置されている。つまり、保護管１１ｂに挿入されているワイパー１２ｃの中心軸も回転洗浄器３の回転軸とずれている。
このような構成としたことにより、回転洗浄器３は、円筒形スクリーン２の洗浄時、回転運動と回転軸方向への運動の同時進行による螺旋軌道で移動するが、フレーム１２ｄは、支持しているワイパー１２ｃの中心軸が回転洗浄器３の回転軸とずれている関係上、回転洗浄器３から回転運動が伝達されず、回転軸方向への運動のみが伝達される。つまり、ワイパー１２ｃは、保護管１１ｂの長手方向へのみ移動して、保護管１１ｂの外周表面の付着物を掻き取る。
【００７２】
以上で明らかなように、この実施の形態３による水処理装置によれば、実施の形態１で示した効果のほかに、実施の形態１および実施の形態２の場合では、紫外線照射器１１の長手方向の中心軸を回転洗浄器３の中心軸と同軸としなければならず、紫外線照射器１１の設置位置が大幅に制限されていたが、その設置位置の自由度が大幅に向上するという大きな効果がある。
特に実施の形態２の場合、回転洗浄器３のシャフト３ｅの軸と紫外線照射器１１の中心軸と同軸上に配置する必要があり、しかもフレーム１２ｄが原水前室１０１Ａの長手方向に移動することから、原水前室１０１Ａの長手方向の長さを、最低でも保護管洗浄具１２の長手方向の長さの２倍は必要であり、水処理装置の長手方向の全長が大きくなってしまう問題があった。しかし、この実施の形態３による水処理装置１では、原水前室１０１Ａの長手方向の長さは、最低、保護管１１ｂの長手方向の長さだけあればよく、水処理装置１の長手方向の全長を大幅に小さくすることができる大きな効果がある。
【００７３】
実施の形態４．
図４はこの発明の実施の形態４による水処理装置を示す構成図である。この実施の形態４の水処理装置も実施の形態２の場合と同様に、原水に対して紫外線処理を行った後に、ろ過処理を行う構成となっている。図４において、図３と同一符号は同一または相当部分を示すので説明を省略する。
保護管洗浄具１２は原水前室１０１Ａに設置され、２個のワイパー１２ｃとフレーム１２ｄから構成されている。
【００７４】
上記実施の形態３では、紫外線照射器１１が１個設置されているものについて示したが、図４に示すように、紫外線照射器１１を２個設置するようにしてもよい。この場合、紫外線照射器１１の紫外線ランプ１１ａによる紫外線の照射量を増やすことができる。
しかし、この場合、２個の紫外線照射器１１の保護管１１ｂの外周表面における付着物を除去する必要があるので、図４に示すように、保護管洗浄具１２のフレーム１２ｄが２個のワイパー１２ｃを支持するようにしている。
２個のワイパー１２ｃは、上記実施の形態３と同様に、回転洗浄器３が回転軸方向に移動すると、保護管１１ｂの長手方向に移動して、保護管１１ｂの外周表面に付着している酸化物を除去する。
これにより、紫外線照射器１１を２個設置する場合でも、保護管１１ｂの外周表面に付着している酸化物を除去することができる。
ここでは、紫外線照射器１１を２個設置するものについて示したが、紫外線照射器１１を３個以上設置して、保護管洗浄具１２のフレーム１２ｄで３個以上のワイパー１２ｃを支持するようにしてもよい。
【００７５】
実施の形態５．
図５はこの発明の実施の形態５による水処理装置を示す構成図である。この実施の形態５の水処理装置も実施の形態２の場合と同様に、原水に対して紫外線処理を行った後に、ろ過処理を行う構成となっている。図５において、図２と同一符号は同一または相当部分を示すので説明を省略する。
保護管洗浄具１２は原水前室１０１Ａに設置され、吸引管１２ｅ及び吸引ノズル１２ｆから構成されている。
保護管洗浄具１２の吸引管１２ｅは回転洗浄器３の連通管３ａと連結しており、吸引管１２ｅの内部の圧力が連通管３ａの内部の圧力と同じになる。
保護管洗浄具１２の吸引ノズル１２ｆは先端に開口が施されており、回転洗浄器３の吸引ノズル３ｂに吸引力が発生して、吸引ノズル３ｂの先端の開口から円筒形スクリーン２の内面の付着物の吸引を開始すると、先端の開口から保護管１１ｂの外周表面に付着している不溶性酸化物等の付着物の吸引を開始する。
【００７６】
以下、円筒形スクリーン２及び保護管１１ｂの洗浄時の動作フローを詳細に説明する。
（１）上記の通り、円筒形スクリーン２の内周面における付着物の堆積量が増大してくると、原水室１０１Ｂ及びドレン室１０２の水圧が上昇する。
（２）ドレン室１０２の水圧は、制御器５の第２室５０２に伝達されており、ろ過水室１０１Ｃの水圧は、制御器５の第１室５０１に伝達されている。
ドレン室１０２の水圧が上昇すると、制御器５の第２室５０２の水圧が第１室５０１の水圧より高くなり、ダイヤフラム５ａが第１室５０１側に変形する。
【００７７】
（３）ダイヤフラム５ａが第１室５０１側に変形すると、第１室５０１の弁体５ｇがダイヤフラム５ａに押し圧される。
第１室５０１では、通常時は、伸びる方向に付勢するバネ５ｈによって弁体５ｇが押し上げられており（図中、右側に押している）、弁体５ｇが連通管５ｆに対する取出口５ｄを塞いでいるが、バネ５ｈの反力以上の力で、ダイヤフラム５ａにより押し圧されると、弁体５ｇが図中左側に移動して取出口５ｄが開かれる。
（４）弁体５ｇが移動して取出口５ｄが開くと、第１室５０１内の水が連通管５ｆを通じて第３室５０３に流れ込むようになる。
第１室５０１には、ろ過水室１０１Ｃ内のろ過処理水が常時流入してくるため、継続して、第１室５０１内の水が第３室５０３に流入する。
このとき、第３室５０３内のろ過処理水は、第４室５０４に配設されている弁体５１ｑの連通孔５ｓを通過して、突出空間部５ｎの排水口５ｐから排水されるが、この排水量は、第１室５０１から第３室５０３に流入する流入水量よりも大幅に少ないため、第３室５０３内はろ過処理水で満たされる。
【００７８】
（５）さらに継続して、第３室５０３にろ過処理水が流入するため、ダイヤフラム５ｂが第４室５０４側に変形する。
これにより、ダイヤフラム５ｂに固定されている弁体５１ｑには、弾性バネ５ｒの反力以上の力がかかって押し下げられるため（図中、右側に移動）、第４室５０４と流出口５ｐとの流路が開かれて、第４室５０４内の水が流出口５ｐから排水される。
（６）このとき、第４室５０４には、補給水管５ｚから補給水が常時流入するようになっているが、その流入量は、弁体５１ｑが開いて、流出口５ｐから排水される排水量よりも少ないため、第４室５０４内の圧力は大気圧程度にまで低下する。
【００７９】
（７）第４室５０４内の圧力が大気圧程度にまで低下すると、開閉弁４内に充水されている水は、取出口４ｆから連通管５ｖを通じて第４室５０４に流入して、流出口５ｐから排水される。
これにより、開閉弁４の弁体４ｂを排出口４ｅ側に押す力が少なくなるため、バネ４ｃの縮む方向の付勢力によって弁体４ｂが図中左側に移動して流入口４ｄが開き、ドレン室１０２内のドレン排水が流入口４ｄを通じて、排出口４ｅから排出され始める。
（８）ドレン室１０２内のドレン排水の排出が開始されることにより、ドレン室１０２内の水圧が急激に低下して、原水室１０１Ｂとの間に圧力差が生じると、回転洗浄器３の吸引ノズル３ｂに吸引力が発生する。
回転洗浄器３の吸引ノズル３ｂに吸引力が発生すると、吸引ノズル３ｂの先端の開口から原水室１０１Ｂ内の原水と一緒に、円筒形スクリーン２の内面の付着物が吸引される。
また、回転洗浄器３の連通管３ａと保護管洗浄具１２の吸引管１２ｅが連通しているので、回転洗浄器３の吸引ノズル３ｂに吸引力が発生すると、保護管洗浄具１２の吸引ノズル１２ｆにも吸引力が発生する。
保護管洗浄具１２の吸引ノズル１２ｆに吸引力が発生すると、吸引ノズル１２ｆの先端の開口から保護管１１ｂの外周表面に付着している不溶性酸化物等の付着物が吸引される。
【００８０】
（９）回転洗浄器３の吸引ノズル３ｂにより吸引された原水と付着物は、連通管３ａを通じて、立上部３ｄの吐出口３ｃから排水される。
また、保護管洗浄具１２の吸引ノズル１２ｆにより吸引された付着物も、連通管３ａを通じて、立上部３ｄの吐出口３ｃから排水される。
立上部３ｄの吐出口３ｃから吐出したときの水勢によって、連通管３ａに回転力が与えられて、回転洗浄器３が連通管３ａの管軸を中心に回転運動を開始する。
また、回転洗浄器３の回転に伴って保護管洗浄具１２の吸引管１２ｅが回転運動を開始する。
【００８１】
（１０）一方、（７）の時と同時期において、円筒形スクリーン２の内周面全体の付着物が除去されると、ドレン室１０２とろ過水室１０１Ｃとの間の水圧差が低下する。
これにより、第１室５０１と第２室５０２との間の水圧差も低下して、ダイヤフラム５ａが元の位置に戻り（変形が解消）、弁体５ｇもバネ５ｈの付勢力によって元の位置に戻って、突出空間部５ｃの取出口５ｄが再び塞がれる。
（１１）突出空間部５ｃの取出口５ｄが閉塞されると、第３室５０３に対するろ過処理水の流出が停止する。
また、第３室５０３から連通孔５ｓを通じて流出口５ｐへ水が徐々に流出していくことによって、第３室５０３内の圧力は大気圧にまで低下していく。
【００８２】
（１２）しかし、（７）の時と同時期に、シリンダ９ｂの取出口９ｃと制御器５の第４室５０４も連通管９ｄで接続されているため、シリンダ９ｂ内の水圧も低下し始める。
そして、ピストン９ａのドレン室１０２側の水圧の方が高いため、ピストン９ａは、シリンダ９ｂの取出口９ｃ側に移動し始め、シリンダ９ｂ内の水は第４室５０４を経由して、流出口５ｐから少量ずつ排水されていくようになる。
また、シリンダ９ｂのもう１つの取出口９ｅと制御器５の第５室５０５とが連通管９ｆによって接続されているので、ピストン９ａが取出口９ｃ，９ｅ側に移動している間中、ピストン９ａで押された水の一部が第５室５０５に流入し続ける。
（１３）第１室５０１から第３室５０３への水の流入が停止した後は、第３室５０３の水圧で第４室５０４の弁体５１ｑが開いているのを継続させることができなくなるが、ピストン９ａから第５室５０５への水の流入が継続している限り（ピストン９ａが作動している限り）、第５室５０５の水圧によってダイヤフラム５ｗが第３室５０３側に変形し、それに伴って弁体５１ｑを第４室５０４側に押すことで、第４室５０４の弁体５１ｑを開いた状態に継続させる。
即ち、ピストン９ａが移動中は、第５室５０５内の水圧が高い状態を保持しているので、第４室５０４の弁体５１ｑは開いた状態を継続している。
【００８３】
（１４）吸引ノズル３ｂは、円筒形スクリーン２の内周面に沿って回転し、同時にピストン９ａが回転軸方向に移動する。つまり、円筒形スクリーン２の内周面を螺旋軌道で移動しながら、原水と一緒に付着物を吸引して、円筒形スクリーン２の内周面全体の付着物を除去する。
また、保護管洗浄具１２の吸引ノズル１２ｆは、紫外線照射器１１の保護管１１ｂにおける外周表面に接触しながら回転し、同時に保護管１１ｂの長手方向に移動する。つまり、紫外線照射器１１の保護管１１ｂの外周面を螺旋軌道で移動しながら、保護管１１ｂに付着している不溶性酸化物等の付着物を除去する。
【００８４】
（１５）ピストン９ａが取出口９ｃ，９ｅ側の移動限界点まで移動したとき、ピストン９ａから第５室５０５への水の供給が停止し、第５室５０５内の水圧が低下して、ダイヤフラム５ｗおよび弁体５１ｑが元の位置に戻り、さらにダイヤフラム５ｂ及び第４室５０４の弁体５１ｑが元の位置に戻って、第４室５０４から流出口５ｐへの流路が再び閉じられ、第４室５０４からの排水が停止する。
（１６）補給水管５ｚから第４室５０４に補給水が流入することにより、第４室５０４内に補給水が充填され、さらに、第４室５０４から開閉弁４の取出口４ｆに給水される。
これにより、開閉弁４の弁体４ｂが水圧で元の位置に戻って、開閉弁４の流入口４ｄが閉じられ、ドレン室１０２からのドレン排水が停止する。
（１７）その後、吐出口３ｃからの吐出水によってドレン室１０２内の水圧が上昇して、原水室１０１Ｂと同圧となると、吸引ノズル３ｂ，１２ｆの吸引力がなくなる。
また、立上部３ｄの吐出口３ｃからの吐出水も停止し、連通管３ａへの回転力もなくなるため、回転洗浄器３の回転運動が停止する。
（１８）第４室５０４からシリンダ９ｂへ水が供給され、ドレン室１０２側よりもシリンダ９ｂの取出口９ｃ，９ｅ側の水圧の方が高くなると、ピストン９ａがドレン室１０２側の移動限界点まで移動して、円筒形スクリーン２及び保護管１１ｂの洗浄作業が終了する。
【００８５】
以上で明らかなように、この実施の形態５による水処理装置によれば、上記実施の形態２に示した効果のほかに、以下の効果がある。実施の形態１から実施の形態４に示した水処理装置では、保護管洗浄具１２のワイパー１２ｂ，１２ｃは、保護管１１ｂの外周面に接触して付着物を掻き取る構成となっているため、洗浄作業を繰り返すうちにワイパー１２ｂ，１２ｃが磨耗していくことから、定期的に交換する必要があった。しかし、この実施の形態５における水処理装置では、保護管１１ｂの付着物を吸引ノズル１２ｆで吸引して除去するようにしており、吸引ノズル１２ｆの先端が保護管１１ｂに接触していないことから、これに起因する磨耗の恐れがないので、交換の必要がほとんどなく、ランニングコストを低減することができる効果がある。
【００８６】
実施の形態６．
図６はこの発明の実施の形態２による水処理装置を示す構成図である。この実施の形態６の水処理装置も実施の形態２の場合と同様に、原水に対して紫外線処理を行った後に、ろ過処理を行う構成となっている。図２の水処理装置とは、制御器６がフラッシュバルブ構造のものを適用している点で大きく相違している。
この制御器６は、例えば、大便器などの洗浄水を制御するフラッシュバルブの構造を利用している。
この制御器６は、主シリンダ６ａと副シリンダ６ｈを有する本体６０と、主シリンダ６ａ内に配設されたピストンバルブ６１と、副シリンダ６ｈ内に配設された押し棒６２とによって主に構成されている。
【００８７】
本体６０の主シリンダ６ａは構造が筒状であり、両端が蓋をされている。
主シリンダ６ａの上側の蓋には、取出口６ｂが設けられており、下側の蓋には、取出口６ｃが設けられている。
また、下側の蓋に設けられている取出口６ｃは、連通管２０を介して開閉弁４の排水口４ｅ側の取出口４ｇと連通されている。
上側の蓋に設けられている取出口６ｂは、連通管２１を介してろ過水室１０１Ｃの取出口１ｆと連通されており、連通管２１には、主シリンダ６ａ内の水がろ過水室１０１Ｃに逆流しないようにするために、逆流防止弁２４が配設されている。
【００８８】
突起部６ｄは主シリンダ６ａの内周面の所定位置に、主シリンダ６ａの全周にわたって設けられており、突起部６ｄの上方には開口６ｆが設けられ、突起部６ｄの下方には開口６ｇが設けられている。
また、上方の開口６ｆには筒状体６ｋが接続されており、下方の開口６ｇには筒状の副シリンダ６ｈが接続されている。
なお、筒状体６ｋには、取出口６ｍを有する蓋が設けられている。
【００８９】
本体６０の副シリンダ６ｈは、反対側の端部（図中、左側）が蓋をされている。
隔壁６ｅは副シリンダ６ｈの内周面の所定位置に設けられ、押し棒６２が挿通可能な開口を備えている。
なお、隔壁６ｅよりも蓋側の副シリンダ６ｈ内は、所定位置まで同一径であり、そこから縮径して蓋まで同一径となっている。
副シリンダ６ｈの蓋には取出口６ｊが設けられている。
【００９０】
主シリンダ６ａのピストンバルブ６１は、主シリンダ６ａ内の上端蓋と突起部６ｄとの間を移動するように配設されている。
ピストンバルブ６１は、筒状弁体６１１と、筒状弁体６１１の内部に配設され、弁体部６１２ａと弁棒部６１２ｂが一体をなしている逃し弁体６１２とにより、主に構成されている。
ピストンバルブ６１の筒状弁体６１１は概ね筒状の外形を有しており、外径が主シリンダ６ａの突起部６ｄを通過することが可能な程度の大きさとなっている。また、上方端部の周縁と中間位置の外周面には、それぞれ全周にわたって突起部６１１ａ，６１１ｂが設けられている。
また、上方端部の周縁の突起部６１１ａには全周にわたってパッキン６３が設けられ、パッキン６３がピストンバルブ６１と主シリンダ６ａの内周面とを水密に保持している。
【００９１】
中間位置の突起部６１１ｂは、主シリンダ６ａの内周面の突起部６ｄと当接するように設けられており、ピストンバルブ６１が突起部６１１ｂの位置よりも下に移動できないようになっている。
また、主シリンダ６ａの内面の突起部６ｄの上方側の全周にはパッキン６４が設けられており、ピストンバルブ６１の中間位置の突起部６１１ｂと当接しているときは、パッキン６４が水密状態を保持している。
隔壁６１１ｃは筒状弁体６１１の内周面の中間位置に設けられ、逃し弁体６１２の弁棒部６１２ｂが挿通可能な程度の開口を有している。
パッキン６５は隔壁６１１ｃの上方に、パッキン支持材６６によって固定されている。
【００９２】
逃し弁体６１２の弁棒部６１２ｂは隔壁６１１ｃの開口の上方から通され、弁体部６１２ａの上方にバネ６７が配設されている。
バネ６７は係止部材６８によって筒状弁体６１１に支持されており、逃し弁体６１２の弁体部６１２ａは、バネ６７の付勢力によって、パッキン６５に押し当てられて水密を保持している。
【００９３】
制御器６の水圧室６０１は主シリンダ６ａの上端蓋とピストンバルブ６１の上端との間に形成されている部屋である。
制御器６の流入室６０２は筒状体６ｋとピストンバルブ６１との間に形成されている部屋である。
制御器６の吐水室６０３は主シリンダ６ａの下端蓋とピストンバルブ６１の下端との間に形成されている部屋である。
制御器６の感知室６０４は副シリンダ６ｈの蓋と押し棒６２の弁体部６２ａとの間に形成されている部屋である。
なお、副シリンダ６ｈの取出口６ｊ、流入室６０２の取出口６ｍ、開閉弁４の取出口４ｆ及びドレン室の取出口１ｇは、それぞれ連通管２２，２３によって接続されている。
【００９４】
押し棒６２は弁体部６２ａと弁棒部６２ｂから一体的に形成されており、広がる方向に付勢するバネ６９が弁棒部６２ｂに挿通されている。
バネ６９は弁棒部６２ｂに挿通され、制御器６が非動作時には、弁体部６２ａを副シリンダ６ｈの縮径位置で係止するように押し圧する。
また、制御器６の非動作時において、押し棒６２の弁棒部６２ｂの先端は、逃し弁体６１２の弁棒部６１２ｂに力を加えないような位置になっている。
【００９５】
なお、シリンダ９ｂの取出口９ｃに接続する連通管９ｄが、連通管２３に分岐部を設けて接続している。つまり、シリンダ９ｂは、容器１のドレン室１０２、制御器６の流入室６０２および感知室６０４と連通している。さらに、制御器６は、ピストンバルブ６１が主シリンダ６ａ内を上昇し始めてから初期位置に戻るまでの時間を、シリンダ９ｂ内をピストン９ａが初期位置から取出口９ｃ側の移動限界点の位置まで移動する時間以上となるように調整されている。
【００９６】
次に動作について説明する。
図６の水処理装置における通常時のろ過処理においては、図２の水処理装置と同様に、開閉弁４の弁体４ｂが側面の流入口４ｄを閉塞する位置に停止しており、ドレン室１０２内のドレン排水が、排出口４ｅから排水されない状態になっている。
原水流入口１ｃから流入する原水は、ろ過処理室１０１の原水前室１０１Ａに貯留された後、支持部材１ｂの開口を通じて、原水室１０１Ｂに流入するが、原水前室１０１Ａに貯留されている間、紫外線照射器１１の紫外線ランプ１１ａにより紫外線が照射されて、消毒処理が行われる。
ただし、紫外線照射器１１の紫外線ランプ１１ａが紫外線を照射して、原水の消毒処理を継続すると、上述したように不溶性の酸化物が生成されるため、不溶性の酸化物や元々原水に含まれていた懸濁性物質が紫外線照射器１１の保護管１１ｂの表面に付着する。
保護管１１ｂの表面の付着物が増えてくると、その付着物が障害となって紫外線の照射量が低下し、紫外線による消毒能力が低下する。
【００９７】
その後、原水室１０１Ｂに達した原水は、円筒形スクリーン２を通過してろ過水室１０１Ｃに達するが、その原水に含まれている夾雑物（円筒形スクリーン２を通過できない不純物）は、円筒形スクリーン２の内周面に付着するため、ろ過水室１０１Ｃに達した水は、ろ過処理水となる。
ろ過水室１０１Ｃ内のろ過処理水は、ろ過水流出口１ｄから水処理装置の外部に流出される。
【００９８】
一方、円筒形スクリーン２を通過できない不純物は、付着物として、円筒形スクリーン２の内周面に堆積され、この付着物の堆積量が増大していくと、原水室１０１Ｂ内の原水の水圧と、ろ過水室１０１Ｃ内のろ過処理水の水圧との間の差圧が比例して増大し、これに伴って、円筒形スクリーン２によるろ過処理量が減少する。
そこで、この実施の形態６では、この原水の水圧と、ろ過処理水の水圧との間の差圧が所定値以上になると、回転洗浄器３を作動させて、円筒形スクリーン２の内周面の付着物を除去（洗浄）するとともに、紫外線照射器１１の保護管１１ｂの外周表面における付着物を除去（洗浄）するようにしている。
【００９９】
以下、円筒形スクリーン２及び保護管１１ｂの洗浄時の動作フローを詳細に説明する。
ただし、円筒形スクリーン２に対する付着物の堆積量が増大していくと、ドレン室１０２内の水圧が上昇していくが、あらかじめ、円筒形スクリーン２を洗浄する必要があるときのドレン室１０２内の水圧を調べておき、その水圧が感知室６０４にかかった時に、押し棒６２が逃し弁体６１２の弁棒部６１２ｂを押すように、押し棒６２を付勢しているバネ６９の強さ等で調整されているものとする。
【０１００】
（１）上記の通り、円筒形スクリーン２の内周面における付着物の堆積量が増大してくると、原水室１０１Ｂ及びドレン室１０２の水圧が上昇する。
（２）ドレン室１０２の水圧は、制御器６の感知室６０４に伝達されている。
即ち、ドレン室１０２の水圧が上昇すると、連通管２２を通じて制御器６の感知室６０４の水圧も上昇する。感知室６０４の水圧が所定圧力以上になると、感知室６０４の水圧によって押し棒６２がバネ６９の付勢力に抗して吐水室６０３側に移動し、押し棒６２が逃し弁体６１２の弁棒部６１２ｂを押すようになる。
【０１０１】
（３）逃し弁体６１２の弁棒部６１２ｂが押し棒６２に押されるようになると、逃し弁体６１２の弁体部６１２ａを押圧しているバネ６７の付勢力に抗して弁体部６１２ａが傾斜する。これにより、水密状態が解かれて、水圧室６０１内の水が吐水室６０３に一気に流出する。
（４）この状態のときも、水圧室６０１の取出口６ｂからろ過水室１０１Ｃの水が流入しているが、取出口６ｂの径が小さいため、水圧室６０１の流入水量よりも流出水量の方が大幅に多く、また、流入室６０２の水圧がピストンバルブ６１にかかっているため、ピストンバルブ６１は、一気に主シリンダ６ａの上端まで移動する。
（５）ピストンバルブ６１が主シリンダ６ａの上端まで移動して開くことにより、流入室６０２と吐水室６０３とが連通される。
このため、流入室６０２の水が一気に吐水室６０３に流入し、その水が連通管２０を通じて開閉弁４の二次側の排出口４ｅから排出される。
【０１０２】
（６）このとき、制御器６の感知室６０４には、ドレン室１０２から水が常時流入しているが、ドレン室１０２からの水は、流入室６０２から排水される排水量と比べて大幅に少ない。
このため、開閉弁４内に充水された水が取出口４ｆから連通管２３を経由して、制御器６の流入室６０２から制御器６の外部に排水される。
これにより、開閉弁４の弁体４ｂを排出口４ｅ側に押す力が少なくなるため、バネ４ｃの縮む方向の付勢力によって弁体４ｂが図中左側に移動して流入口４ｄが開き、ドレン室１０２内のドレン排水が流入口４ｄを通じて、排出口４ｅから排出され始める。
【０１０３】
（７）ドレン室１０２内のドレン排水の排出が開始されることにより、ドレン室１０２内の水圧が急激に低下して、原水室１０１Ｂとの間に圧力差が生じると、回転洗浄器３の吸引ノズル３ｂに吸引力が発生する。
回転洗浄器３の吸引ノズル３ｂに吸引力が発生すると、吸引ノズル３ｂの先端の開口から原水室１０１Ｂ内の原水と一緒に、円筒形スクリーン２の内周面の付着物が吸引される。
（８）回転洗浄器３の吸引ノズル３ｂにより吸引された原水と付着物は、連通管３ａを通じて、立上部３ｄの吐出口３ｃから排水される。
また、この吐出したときの水勢によって、連通管３ａに回転力が与えられて、回転洗浄器３が連通管３ａの管軸を中心に回転運動を開始する。
（９）回転洗浄器３の吸引ノズル３ｂは、円筒形スクリーン２の内周面に沿って回転しながら、原水と一緒に付着物を吸引することにより、円筒形スクリーン２の内周面全体の付着物を除去する。
また、回転洗浄器３の回転に伴って保護管洗浄具１２のフレーム１２ｂが回転運動を開始する。
【０１０４】
（１０）一方、（４）でピストンバルブ６１が開いたとき、制御器６では、感知室６０４の水も、流入室６０２から制御器６の外部に排水される。
このため、感知室６０４の水圧が低下して、バネ６９が押し棒６２を押す力が勝り、押し棒６２が副シリンダ６ｈの縮径部（制御器６の非作動時における位置）まで移動する。
これにより、逃し弁体６１２の弁棒部６１２ｂを押す力がなくなるため、逃し弁体６１２の弁体部６１２ａも初期位置に戻り、再び水密状態となる。
（１１）また、容器１のろ過水室１０１Ｃから少量ずつの水が連通管２１を介して水圧室６０１に流入し、ピストンバルブ６１を押し下げていくようになる。
ピストンバルブ６１が可動範囲の最下端に達すると、主シリンダ６ａの突起部６ｄとピストンバルブ６１の突起部６１１ｂとが水密状態となる。
【０１０５】
（１２）しかし、（４）でピストンバルブ６１が開いた時と同時期に、シリンダ９ｂの取出口９ｃと制御器６の流入室６０２も連通管９ｄ，２３で接続されているため、シリンダ９ｂ内の水圧も低下し始める。
そして、ピストン９ａのドレン室１０２側の水圧の方が高いため、ピストン９ａは、シリンダ９ｂの取出口９ｃ側に移動し始める。
【０１０６】
（１３）回転洗浄機３の吸引ノズル３ｂは、ピストン９ａの移動に伴って、円筒形スクリーン２の内周面に沿って回転しながら、回転軸方向に移動する。つまり、円筒形スクリーン２の内周面を螺旋軌道で移動しながら、原水と一緒に付着物を吸引して、円筒形スクリーン２の内周面全体の付着物を除去する。
また、保護管洗浄具１２のフレーム１２ｂは、シャフト３ｅで回転洗浄機３の連通管３ａと連通されているので、回転洗浄機３の螺旋軌道の移動に伴って、紫外線照射器１１の保護管１１ｂの外周面を螺旋軌道で移動する。
これにより、保護管洗浄具１２のフレーム１２ｂに保持されているワイパー１２ｃが、保護管１１ｂの外周表面に付着している酸化物等の付着物を除去することになる。
【０１０７】
（１４）（１１）のとき、既に、円筒形スクリーン２の付着物の洗浄が十分完了している状態となっているように、ピストンバルブ６１が開いてから閉じるまでの時間が、水圧室６０１への水の流入量等によって調整されている。
ピストンバルブ６１が閉じると、流入室６０２からの水の排出が停止し、ドレン室１０２から流入する水が、流入室６０２や開閉弁４内に流入する。
（１５）これにより、開閉弁４の弁体４ｂが水圧で元の位置に戻って、開閉弁４の流入口４ｄが閉じられ、ドレン室１０２からのドレン排水が停止する。
（１６）その後、吐出口３ｃからの吐出水によってドレン室１０２内の水圧が上昇して、原水室１０１Ｂに同圧となると、吸引ノズル３ｂの吸引力がなくなる。
また、立上部３ｄの吐出口３ｃからの吐出水も停止し、連通管３ａへの回転力もなくなるため、回転洗浄器３の回転運動が停止し、円筒形スクリーン２及び保護管１１ｂの洗浄作業が終了する。
【０１０８】
以上、この実施の形態６による水処理装置によれば、制御器６をフラッシュバルブ構造のものを適用したことにより、上記実施の形態２に示した効果のほかに、以下の効果を奏する。
制御器５がダイヤフラム５ａ，５ｂを使用する場合、耐久性が低く、部品の交換頻度が高かったが、フラッシュバルブ構造の制御器６の場合は、部品の耐久性が高く、部品の交換頻度を低く抑えることができ、部品交換に要する材料費及び人件費を抑制できる大きな効果を奏する。また、フラッシュバルブは、大便器用に大量に生産されているものであり、特殊な部品を使用していないため、安価に製造できる効果も奏する。
【０１０９】
なお、この実施の形態６では、フラッシュバルブ構造の制御器６を図２の水処理装置に適用するものについて示したが、フラッシュバルブ構造の制御器６を図３〜図５の水処理装置に適用するようにしてもよい。
【０１１０】
実施の形態７．
図７はこの発明の実施の形態７による水処理装置を示す構成図である。この実施の形態７の水処理装置も実施の形態２の場合と同様に、原水に対して紫外線処理を行った後に、ろ過処理を行う構成となっている。
図７の水処理装置では、図６の水処理装置におけるフラッシュバルブ構造の制御器６を開閉弁７に適用し、フラッシュバルブ構造の開閉弁７が、円筒形スクリーン２及び保護管１１ｂの洗浄制御と洗浄排水の両方の役割を持つようにしている。
この開閉弁７は、主シリンダ７ａと副シリンダ７ｈを有する本体７０と、主シリンダ７ａ内に配設されたピストンバルブ７１と、副シリンダ７ｈ内に配設された押し棒７２とによって主に構成されている。
【０１１１】
本体７０の主シリンダ７ａは構造が筒状であり、両端が蓋をされている。
主シリンダ７ａの左側の蓋には、取出口７ｂが設けられており、右側の蓋には、排水口７ｃが設けられている。
左側の蓋に設けられている取出口７ｂは、連通管２１を介してろ過水室１０１Ｃの取出口１ｆと連通されており、連通管２１には、主シリンダ７ａ内の水がろ過水室１０１Ｃに逆流しないようにするために、逆流防止弁２４が配設されている。
【０１１２】
突起部７ｄは主シリンダ７ａの内周面の所定位置に、主シリンダ７ａの全周にわたって設けられており、突起部７ｄの左側には開口７ｆが設けられ、突起部７ｄの右側には開口７ｇが設けられている。
また、開口７ｆには筒状体７ｋが接続されており、開口７ｇには筒状の副シリンダ７ｈが接続されている。
なお、筒状体７ｋには、取出口７ｍを有する蓋が設けられている。取出口７ｍは、容器１のドレン室１０２にある排水口１ｅと連結している。
【０１１３】
本体７０の副シリンダ７ｈは、反対側の端部（図中、上側）が蓋をされている。
隔壁７ｅは副シリンダ７ｈの内周面の所定位置に設けられ、押し棒７２が挿通可能な開口を備えている。
なお、隔壁７ｅよりも蓋側の副シリンダ７ｈ内は、所定位置まで同一径であり、そこから縮径して蓋まで同一径となっている。
副シリンダ７ｈの蓋には取出口７ｊが設けられている。
【０１１４】
主シリンダ７ａのピストンバルブ７１は、主シリンダ７ａ内の左端蓋と突起部７ｄとの間を移動するように配設されている。
ピストンバルブ７１は、筒状弁体７１１と、筒状弁体７１１の内部に配設され、弁体部７１２ａと弁棒部７１２ｂが一体をなしている逃し弁体７１２とにより、主に構成されている。
ピストンバルブ７１の筒状弁体７１１は概ね筒状の外形を有しており、外径が主シリンダ７ａの突起部７ｄを通過することが可能な程度の大きさとなっている。また、左端部の周縁と中間位置の外周面には、それぞれ全周にわたって突起部７１１ａ，７１１ｂが設けられている。
また、左端部の周縁の突起部７１１ａには全周にわたってパッキン７３が設けられ、パッキン７３がピストンバルブ７１と主シリンダ７ａの内周面とを水密に保持している。
【０１１５】
中間位置の突起部７１１ｂは、主シリンダ７ａの内周面の突起部７ｄと当接するように設けられており、ピストンバルブ７１が突起部７１１ｂの位置よりも右側に移動できないようになっている。
また、主シリンダ７ａの内面の突起部７ｄの左側の全周にはパッキン７４が設けられており、ピストンバルブ７１の中間位置の突起部７１１ｂと当接しているときは、パッキン７４が水密状態を保持している。
隔壁７１１ｃは筒状弁体７１１の内周面の中間位置に設けられ、逃し弁体７１２の弁棒部７１２ｂが挿通可能な程度の開口を有している。
パッキン７５は隔壁７１１ｃの左側に、パッキン支持材７６によって固定されている。
【０１１６】
逃し弁体７１２の弁棒部７１２ｂは隔壁７１１ｃの開口の左方から通され、弁体部７１２ａの左側にバネ７７が配設されている。
バネ７７は係止部材７８によって筒状弁体７１１に支持されており、逃し弁体７１２の弁体部７１２ａは、バネ７７の付勢力によって、パッキン７５に押し当てられて水密を保持している。
【０１１７】
開閉弁７の水圧室７０１は主シリンダ７ａの左端蓋とピストンバルブ７１の左端との間に形成されている部屋である。
開閉弁７の流入室７０２は筒状体７ｋとピストンバルブ７１との間に形成されている部屋である。
開閉弁７の吐水室７０３は主シリンダ７ａの右端蓋とピストンバルブ７１の右端との間に形成されている部屋である。
開閉弁７の感知室７０４は副シリンダ７ｈの蓋と押し棒７２の弁体部７２ａとの間に形成されている部屋である。
なお、副シリンダ７ｈの取出口７ｊ及びドレン室１０２の取出口１ｇは、連通管２２によって接続されている。
【０１１８】
押し棒７２は弁体部７２ａと弁棒部７２ｂから一体的に形成されており、広がる方向に付勢するバネ７９が弁棒部７２ｂに挿通されている。
バネ７９は弁棒部７２ｂに挿通され、開閉弁７が閉じているときには、弁体部７２ａを副シリンダ７ｈの縮径位置で係止するように押し圧する。
また、開閉弁７が閉じている時において、押し棒７２の弁棒部７２ｂの先端は、逃し弁体７１２の弁棒部７１２ｂに力を加えないような位置になっている。
【０１１９】
この実施の形態７では、ピストン９ａとシリンダ９ｂを配設するために、排水口１ｅ及び開閉弁７をドレン室１０２の外周面に配置している。また、シリンダ９ｂの取出口９ｃを容器１のろ過水室１０１Ｃに設けた取出口１ｉに連通管９ｄで接続している。
これによって、ピストン９ａのドレン室１０２側にはドレン室１０２の水圧がかかり、シリンダ９ｂの取出口９ｃ側にはろ過水室１０１Ｃの水圧がかかる。通常のろ過処理時は、ドレン室１０２側の水圧の方が高くなるので、ピストン９ａや回転洗浄器３の洗浄動作前の初期位置は、シリンダ９ｂの取出口９ｃ側の移動限界点となる。
洗浄動作開始時、つまり、開閉弁７が開いたとき、回転洗浄器３が立上部３ｄの吐出口３ｃからの吐水で回転を始める。このとき、同時に、ドレン室１０２の水圧は、ろ過水室１０１Ｃの水圧よりも低下するので、ピストン９ａもシリンダ９ｂの取出口９ｃ側の限界点からドレン室１０２側の移動限界点に移動していくようになる。これにより、吸引ノズル３ｂは、円筒形スクリーン２の内面を螺旋運動しながら、付着物を吸引していくようになる。なお、制御器７は、ピストンバルブ７１が主シリンダ７ａ内を取出口７ｂ側に移動し始めてから初期位置に戻るまでの時間を、シリンダ９ｂ内をピストン９ａが初期位置である取出口９ｃ側の移動限界点からドレン室１０２側の移動限界点まで移動する時間以上となるように調整されている。
【０１２０】
次に動作について説明する。
図７の水処理装置における通常時のろ過処理においては、開閉弁７におけるピストンバルブ７１の筒状弁体７１１が、開口７ｆを閉塞する位置にあり、ドレン室１０２内のドレン排水が開閉弁７に流入せずに、排水口７ｃから排水されない状態になっている。
原水流入口１ｃから流入する原水は、ろ過処理室１０１の原水前室１０１Ａに貯留された後、支持部材１ｂの開口を通じて、原水室１０１Ｂに流入するが、原水前室１０１Ａに貯留されている間、紫外線照射器１１の紫外線ランプ１１ａにより紫外線が照射されて、消毒処理が行われる。
ただし、紫外線照射器１１の紫外線ランプ１１ａが紫外線を照射して、原水の消毒処理を継続すると、上述したように不溶性の酸化物が生成されるため、不溶性の酸化物や元々原水に含まれていた懸濁性物質が紫外線照射器１１の保護管１１ｂの表面に付着する。
保護管１１ｂの表面の付着物が増えてくると、その付着物が障害となって紫外線の照射量が低下し、紫外線による消毒能力が低下する。
【０１２１】
その後、原水室１０１Ｂに達した原水は、円筒形スクリーン２を通過してろ過水室１０１Ｃに達するが、その原水に含まれている夾雑物（円筒形スクリーン２を通過できない不純物）は、円筒形スクリーン２の内周面に付着するため、ろ過水室１０１Ｃに達した水は、ろ過処理水となる。
ろ過水室１０１Ｃ内のろ過処理水は、ろ過水流出口１ｄから水処理装置の外部に流出される。
【０１２２】
一方、円筒形スクリーン２を通過できない不純物は、付着物として、円筒形スクリーン２の内周面に堆積され、この付着物の堆積量が増大していくと、原水室１０１Ｂ内の原水の水圧と、ろ過水室１０１Ｃ内のろ過処理水の水圧との間の差圧が比例して増大し、これに伴って、円筒形スクリーン２によるろ過処理量が減少する。
そこで、この実施の形態７では、この原水の水圧と、ろ過処理水の水圧との間の差圧が所定値以上になると、回転洗浄器３を作動させて、円筒形スクリーン２の内周面の付着物を除去（洗浄）するとともに、紫外線照射器１１の保護管１１ｂの外周表面における付着物を除去（洗浄）するようにしている。
【０１２３】
以下、円筒形スクリーン２及び保護管１１ｂの洗浄時の動作フローを詳細に説明する。
ただし、円筒形スクリーン２に対する付着物の堆積量が増大していくと、ドレン室１０２内の水圧が上昇していくが、あらかじめ、円筒形スクリーン２を洗浄する必要があるときのドレン室１０２内の水圧を調べておき、その水圧が感知室７０４にかかった時に、押し棒７２が逃し弁体７１２の弁棒部７２ｂを押すように、押し棒７２を付勢しているバネ７９の強さ等で調整されているものとする。
【０１２４】
（１）上記の通り、円筒形スクリーン２の内周面における付着物の堆積量が増大してくると、原水室１０１Ｂ及びドレン室１０２の水圧が上昇する。
（２）ドレン室１０２の水圧は、開閉弁７の感知室７０４に伝達されている。
即ち、ドレン室１０２の水圧が上昇すると、連通管２２を通じて開閉弁７の感知室７０４の水圧も上昇する。感知室７０４の水圧が所定圧力以上になると、感知室７０４の水圧によって押し棒７２がバネ７９の付勢力に抗して吐水室７０３側に移動し、押し棒７２が逃し弁体７１２の弁棒部７１２ｂを押すようになる。
【０１２５】
（３）逃し弁体７１２の弁棒部７１２ｂが押し棒７２に押されるようになると、逃し弁体７１２の弁体部７１２ａを押圧しているバネ７７の付勢力に抗して弁体部７１２ａが傾斜する。これにより、水密状態が解かれて、水圧室７０１内の水が吐水室７０３に一気に流出する。
（４）この状態のときも、水圧室７０１の取出口７ｂからろ過水室１０１Ｃの水が流入しているが、取出口７ｂの径が小さいため、水圧室７０１の流入水量よりも流出水量の方が大幅に多く、また、流入室７０２の水圧がピストンバルブ７１にかかっているため、ピストンバルブ７１は、一気に主シリンダ７ａの左端まで移動する。
（５）ピストンバルブ７１が主シリンダ７ａの左端まで移動して開くことにより、流入室７０２と吐水室７０３とが連通される。
このため、流入室７０２の水が一気に吐水室７０３に流入し、その水が排出口７ｃから排出される。
【０１２６】
（６）ドレン室１０２内のドレン排水の排出が開始されることにより、ドレン室１０２内の水圧が急激に低下して、原水室１０１Ｂとの間に圧力差が生じると、回転洗浄器３の吸引ノズル３ｂに吸引力が発生する。
回転洗浄器３の吸引ノズル３ｂに吸引力が発生すると、吸引ノズル３ｂの先端の開口から原水室１０１Ｂ内の原水と一緒に、円筒形スクリーン２の内周面の付着物が吸引される。
（７）回転洗浄器３の吸引ノズル３ｂにより吸引された原水と付着物は、連通管３ａを通じて、立上部３ｄの吐出口３ｃから排水される。
また、この吐出したときの水勢によって、連通管３ａに回転力が与えられて、回転洗浄器３が連通管３ａの管軸を中心に回転運動を開始する。
（８）回転洗浄器３の吸引ノズル３ｂは、円筒形スクリーン２の内周面に沿って回転しながら、原水と一緒に付着物を吸引することにより、円筒形スクリーン２の内周面全体の付着物を除去する。
また、回転洗浄器３の回転に伴って保護管洗浄具１２のフレーム１２ｂが回転運動を開始する。
【０１２７】
（９）一方、（４）でピストンバルブ７１が開いたとき、容器１のドレン室１０２内の圧力が低下することにより、連通管２２で連通している開閉弁７の感知室７０４の水圧が低下する。このとき、バネ７９が押し棒７２を押す力が勝り、押し棒７２が副シリンダ７ｈの縮径部（開閉弁７が閉じているときの位置）まで移動する。
これにより、逃し弁体７１２の弁棒部７１２ｂを押す力がなくなるため、逃し弁体７１２の弁体部７１２ａも初期位置に戻り、再び水密状態となる。
（１０）また、容器１のろ過水室１０１Ｃから少量ずつの水が連通管２１を介して水圧室７０１に流入し、ピストンバルブ７１を押し下げていくようになる。
ピストンバルブ７１が可動範囲の最右端に達すると、主シリンダ７ａの突起部７ｄとピストンバルブ７１の突起部７１１ｂとが水密状態となる。
【０１２８】
（１１）しかし、（４）でピストンバルブ７１が開いた時と同時期において、ドレン室１０２の水圧が大きく低下するのに対して、ろ過水室１０１Ｃと連通管９ｂで接続しているシリンダ９ｂの水圧はほとんど変化しないことから、ピストン９ａはドレン室１０２側に移動し始める。
【０１２９】
（１２）回転洗浄機３の吸引ノズル３ｂは、ピストン９ａの移動に伴って、円筒形スクリーン２の内周面に沿って回転しながら、回転軸方向に移動する。つまり、円筒形スクリーン２の内周面を螺旋軌道で移動しながら、原水と一緒に付着物を吸引して、円筒形スクリーン２の内周面全体の付着物を除去する。
また、保護管洗浄具１２のフレーム１２ｂは、シャフト３ｅで回転洗浄機３の連通管３ａと同一軸で接続されているので、回転洗浄機３の螺旋軌道の移動に伴って、紫外線照射器１１の保護管１１ｂの外周面を螺旋軌道で移動する。
これにより、保護管洗浄具１２のフレーム１２ｂに保持されているワイパー１２ｃが、保護管１１ｂの外周表面に付着している不溶性酸化物等の付着物を除去することになる。
【０１３０】
（１３）（１０）のとき、既に、円筒形スクリーン２の付着物の洗浄が十分完了している状態となっているように、ピストンバルブ７１が開いてから閉じるまでの時間が、水圧室７０１への水の流入量等によって調整されている。
これにより、ピストンバルブ７１の筒状弁体７１１が水圧で元の位置に戻って、開口７ｆが閉じられ、ドレン室１０２からのドレン排水が停止する。
（１４）その後、吐出口３ｃからの吐出水によってドレン室１０２内の水圧が上昇して、原水室１０１Ｂと同圧になると、吸引ノズル３ｂの吸引力がなくなる。
また、立上部３ｄの吐出口３ｃからの吐出水も停止し、連通管３ａへの回転力もなくなるため、回転洗浄器３の回転運動が停止し、円筒形スクリーン２及び保護管１１ｂの洗浄作業が終了する。
【０１３１】
この実施の形態７による水処理装置によれば、装置全体の部品点数を少なくすることができ、製造コストを大幅に低減することができる効果を奏する。また、部品点数が少ないため、メンテナンスが容易になる効果も奏する。
【０１３２】
実施の形態８．
図８はこの発明の実施の形態８による水処理装置を示す構成図である。この実施の形態８の水処理装置も実施の形態２の場合と同様に、原水に対して紫外線処理を行った後に、ろ過処理を行う構成となっている。図８の水処理装置は、図７の水処理装置に対して、ドレン室１０２とろ過水室１０１Ｃとの差圧で動作する差圧ピストン８を配設し、差圧ピストン８の第３室８０３と開閉弁７の感知室７０４とを連通管２２で接続するようにしている。
【０１３３】
差圧ピストン８は主にダイヤフラム８ａとピストン８ｂで構成されており、差圧ピストン８は、ドレン室１０２とろ過水室１０１Ｃとの差圧で動作する。
差圧ピストン８のダイヤフラム８ａは第１室８０１の水圧が第２室８０２の水圧より高くなると、中央部が図中右側に変形する。
差圧ピストン８のピストン８ｂは一端がダイヤフラム８ａに固定されており、ダイヤフラム８ａが図中右側に変形すると、図中右側に移動する。
【０１３４】
第１室８０１には取出口８ｃが設けられており、取出口８ｃは、連通管２５を介してドレン室１０２の取出口１ｇと連結されている。
第２室８０２には取出口８ｄが設けられており、取出口８ｄは、連通管２６を介して過水室１０１Ｃの取出口１ｆと連結されている。
第３室８０３には取出口８ｅが設けられており、取出口８ｅは、連通管２２を介して開閉弁７の感知室７０４の取出口７ｊと連結されている。
【０１３５】
差圧ピストン８の第１室８０１には、ドレン室１０２の水圧が伝達され、差圧ピストン８の第２室８０２には、ろ過水室１０１Ｃの水圧が伝達される。
したがって、ドレン室１０２の水圧とろ過水室１０１Ｃの水圧との差圧が、所定圧力以上になると、差圧ピストン８のダイヤフラム８ａが変形して、ピストン８ｂが移動することにより、差圧ピストン８の第３室８０３に充たされている水が、開閉弁７の感知室７０４に流入し、以降、上記実施の形態７と同様にして、円筒形スクリーン２及び保護管１１ｂにおける付着物の洗浄が開始される。
なお、この実施の形態８に示した差圧ピストン８は、実施の形態６における水処理装置にも適用可能である。
【０１３６】
以上から明らかなように、この実施の形態８による水処理装置によれば、ドレン室１０２とろ過水室１０１Ｃとの差圧に伴うダイヤフラム８ａの変形量を事前に調整しておくようにすれば、円筒形スクリーン２の洗浄を実施するタイミングをドレン室１０２とろ過水室１０１Ｃの差圧で設定することができるようになる。
これにより、実施の形態７に示した水処理装置を、水圧が大きく変動する原水に適用する場合では、ドレン室１０２内の水圧も大きく変動するため、制御器７の感知室７０４への供給水圧が不安定になり、制御器７が円筒形スクリーン２の内周面の洗浄が必要なときに的確に作動しないことがあるが、この実施の形態８に示した水処理装置の場合では、水圧が大きく変動する原水を水処理装置でろ過処理する場合においても、円筒形スクリーン２が同程度目詰まりした状態のときに常に確実に洗浄することができる効果を奏する。
【０１３７】
実施の形態９．
図９はこの発明の実施の形態９による水処理装置を示す構成図である。この実施の形態９の水処理装置も実施の形態２の場合と同様に、原水に対して紫外線処理を行った後に、ろ過処理を行う構成となっている。
図９の水処理装置では、図２に示すような往復動手段９に代えて、スライドピン９ｈと円筒カム９ｉとを連動させて回転力を往復動力に変換する往復動手段９を図２の水処理装置に適用するものである。
【０１３８】
即ち、この実施の形態９では、回転洗浄器３の回転軸と同一軸とするシャフト９ｋにスライドピン９ｈを配置し、スライド溝９ｊを有する円柱形状の円筒カム９ｉをスライドピン９ｈとスライド溝９ｊとが勘合するように互いに回動自在に配設している。
シャフト９ｋには、軸方向に摺動可能な状態でギア９ｍが装着されており、円筒カム９ｉにもギア９ｎが固定装着されており、互いのギア９ｍ，９ｎが噛み合うように配置された構成となっている。
そして、円筒形スクリーン２の洗浄時には、開閉弁４が開いて回転洗浄器３の吐出口３ｃから水が吐出して回転洗浄器３が回転すると、それがシャフト９ｋを伝達してギア９ｍが回転する。そのギア９ｍと噛み合っている円筒カム９ｉのギア９ｎが回転し、ギア９ｎと連結している円筒カム９ｉが回り始める。
円筒カム９ｉが回るとスライド溝９ｊが移動し始め、そのスライド溝９ｊに沿ってスライドピン９ｈが軸方向に移動する。これにより、シャフト９ｋが軸方向に移動する。即ち、回転洗浄器３が回転軸を中心に回転しながら軸方向に移動する。以上の動作によって、吸引ノズル３ｂは、円筒形スクリーン２の内面を螺旋軌道で移動し、保護管洗浄具１２のワイパー１２ｃは、保護管１１ｂの外周表面を螺旋軌道で移動するようになっている。
【０１３９】
以上、この実施の形態９による水処理装置によれば、上記実施の形態１，２に示した効果のほかに、シャフト９ｋに固定されたスライドピン９ｈと円筒カム９ｉのスライド溝９ｊとが噛み合い、さらに、シャフト９ｋのギア９ｍと円筒カム９ｉのギア９ｎが噛み合っていることから、吸引ノズル３ｂを原水の水圧に影響されずに確実に螺旋軌道上で移動させることができる効果を奏する。また、吐出口３ｃからの吐出水による回転力が継続する限り、往復動力に変換し続けることから、吸引ノズル３ｂを同一の螺旋軌道を繰り返し移動させることができ、洗浄能力がより向上する効果を奏する。同時に、保護管洗浄具１２のワイパー１２ｃも保護管１１ｂの外周面上を同一の螺旋軌道を繰り返し移動して、付着物をより確実に除去できる効果もある。
【０１４０】
実施の形態１０．
図１０はこの発明の実施の形態１０による水処理装置を示す構成図である。この実施の形態１０の水処理装置も実施の形態２の場合と同様に、原水に対して紫外線処理を行った後に、ろ過処理を行う構成となっている。
図１０の水処理装置は、上記実施の形態９と同様に、スライドピン９ｈや円筒カム９ｉなどからなる往復動手段９を図６の水処理装置に適用するようにしたものである。
【０１４１】
この実施の形態１０による水処理装置によれば、上記実施の形態６に示した効果のほかに、上記実施の形態９に示した効果も同時に得られる。
【０１４２】
実施の形態１１．
図１１はこの発明の実施の形態１１による水処理装置を示す構成図である。この実施の形態１１の水処理装置も実施の形態２の場合と同様に、原水に対して紫外線処理を行った後に、ろ過処理を行う構成となっている。
図１１の水処理装置は、上記実施の形態９と同様に、スライドピン９ｈや円筒カム９ｉなどからなる往復動手段９を図７の水処理装置に適用するようにしたものである。
【０１４３】
この実施の形態１１による水処理装置によれば、上記実施の形態７に示した効果のほかに、上記実施の形態９に示した効果も同時に得られる。
【０１４４】
実施の形態１２．
図１２はこの発明の実施の形態１２による水処理装置を示す構成図である。この実施の形態１２の水処理装置も実施の形態２の場合と同様に、原水に対して紫外線処理を行った後に、ろ過処理を行う構成となっている。
図１２の水処理装置は、上記実施の形態９と同様に、スライドピン９ｈや円筒カム９ｉなどからなる往復動手段９を図８の水処理装置に適用するようにしたものである。
【０１４５】
この実施の形態１２による水処理装置によれば、上記実施の形態８に示した効果のほかに、上記実施の形態９に示した効果も同時に得られる。
【０１４６】
実施の形態１３．
図１３はこの発明の実施の形態１３による水処理装置を示す構成図である。この実施の形態１３の水処理装置は、実施の形態２の場合と異なり、原水に対してろ過処理を行った後に、紫外線処理を行う構成となっている。図１３において、図２と同一符号は同一または相当部分を示すので説明を省略する。
容器１の軸受１ｊは回転洗浄器３のシャフト３ｅを回動自在に支持している。
容器１の処理水流出口１ｋはろ過水室１０１Ｃに貯留されている処理水を排出する流出口である。
【０１４７】
紫外線照射器１１は、ろ過水室１０１Ｃに設置されている。紫外線照射器１１が配設されている部分の容器１については、外径が拡径されており、その拡径した部分のろ過水室１０１Ｃに紫外線照射器１１が設置されている。
保護管洗浄具１２はろ過水室１０１Ｃに設置され、ワイパー１２ｃ、ピストン１２ｇ及びシリンダ１２ｈから構成されている。
保護管洗浄具１２のワイパー１２ｃは紫外線照射器１１の保護管１１ｂの外周表面と接触するようにピストン１２ｇに支持され、回転洗浄器３が回転軸方向に移動すると同時、ピストン１２ｇが保護管１１ｂの長手方向に移動することにより、保護管１１ｂの外周表面の付着物を掻き取る。
なお、ワイパー１２ｃは例えばドーナッツ形状しており、その中心部に保護管１１ｂが挿入されている。
【０１４８】
保護管洗浄具１２のピストン１２ｇは往復動手段９のピストン９ａと同期して、保護管１１ｂの長手方向に移動する。
保護管洗浄具１２のシリンダ１２ｈはピストン１２ｇを内包する筒状体であり、シリンダ１２ｈには取出口１２ｉ，１２ｊが設けられている。
シリンダ１２ｈの取出口１２ｉには連通管９ｐを介して制御器５の取出口５１ｙと接続されている。
シリンダ１２ｈの取出口１２ｊには連通管９ｑを介して制御器５の取出口５１ｕと接続されている。
なお、図１３では、紫外線照射器１１および保護管洗浄具１２を２台ずつ設置した構成としているが、必要であれば、３台以上設置してもよい。
【０１４９】
次に動作について説明する。
図１３の水処理装置における通常時のろ過処理においては、図２の水処理装置と同様に、開閉弁４の弁体４ｂが側面の流入口４ｄを閉塞する位置に停止しており、ドレン室１０２内のドレン排水が、排出口４ｅから排水されない状態になっている。
原水流入口１ｃから流入する原水は、ろ過処理室１０１の原水前室１０１Ａに貯留された後、支持部材１ｂの開口を通じて、原水室１０１Ｂに流入する。
その後、原水室１０１Ｂに達した原水は、円筒形スクリーン２を通過してろ過水室１０１Ｃに達するが、その原水に含まれている夾雑物（円筒形スクリーン２を通過できない不純物）は、円筒形スクリーン２の内周面に付着するため、ろ過水室１０１Ｃに達した水は、ろ過処理水となる。
【０１５０】
ろ過水室１０１Ｃ内のろ過処理水は、紫外線照射器１１の紫外線ランプ１１ａにより紫外線が照射されて、消毒処理が行われる。
ただし、紫外線照射器１１の紫外線ランプ１１ａが紫外線を照射して、原水の消毒処理を継続すると、上述したように不溶性の酸化物が生成されるため、不溶性の酸化物が紫外線照射器１１の保護管１１ｂの表面に付着する。
保護管１１ｂの表面の付着物が増えてくると、その付着物が障害となって紫外線の照射量が低下し、紫外線による消毒能力が低下する。
紫外線照射器１１の紫外線ランプ１１ａにより消毒処理が行われた紫外線処理水は、処理水流出口１ｋから水処理装置の外部に流出される。
【０１５１】
一方、円筒形スクリーン２を通過できない不純物は、付着物として、円筒形スクリーン２の内周面に堆積され、この付着物の堆積量が増大していくと、原水室１０１Ｂ内の原水の水圧と、ろ過水室１０１Ｃ内のろ過処理水の水圧との間の差圧が比例して増大し、これに伴って、円筒形スクリーン２によるろ過処理量が減少する。
そこで、この実施の形態１３では、この原水の水圧と、ろ過処理水の水圧との間の差圧が所定値以上になると、回転洗浄器３を作動させて、円筒形スクリーン２の内周面の付着物を除去（洗浄）するとともに、紫外線照射器１１の保護管１１ｂの外周表面における付着物を除去（洗浄）するようにしている。
以下、円筒形スクリーン２及び保護管１１ｂの洗浄時の動作フローを詳細に説明する。
【０１５２】
（１）上記の通り、円筒形スクリーン２の内周面における付着物の堆積量が増大してくると、原水室１０１Ｂ及びドレン室１０２の水圧が上昇する。
（２）ドレン室１０２の水圧は、制御器５の第２室５０２に伝達されており、ろ過水室１０１Ｃの水圧は、制御器５の第１室５０１に伝達されている。
ドレン室１０２の水圧が上昇すると、制御器５の第２室５０２の水圧が第１室５０１の水圧より高くなり、ダイヤフラム５ａが第１室５０１側に変形する。
【０１５３】
（３）ダイヤフラム５ａが第１室５０１側に変形すると、第１室５０１の弁体５ｇがダイヤフラム５ａに押し圧される。
第１室５０１では、通常時は、伸びる方向に付勢するバネ５ｈによって弁体５ｇが押し上げられており（図中、右側に押している）、弁体５ｇが連通管５ｆに対する取出口５ｄを塞いでいるが、バネ５ｈの反力以上の力で、ダイヤフラム５ａにより押し圧されると、弁体５ｇが図中左側に移動して取出口５ｄが開かれる。
（４）弁体５ｇが移動して取出口５ｄが開くと、第１室５０１内の水が連通管５ｆを通じて第３室５０３に流れ込むようになる。
第１室５０１には、ろ過水室１０１Ｃ内のろ過処理水が常時流入してくるため、継続して、第１室５０１内の水が第３室５０３に流入する。
このとき、第３室５０３内のろ過処理水は、第４室５０４に配設されている弁体５１ｑの連通孔５ｓを通過して、突出空間部５ｎの排水口５ｐから排水されるが、この排水量は、第１室５０１から第３室５０３に流入する流入水量よりも大幅に少ないため、第３室５０３内はろ過処理水で満たされる。
【０１５４】
（５）さらに継続して、第３室５０３にろ過処理水が流入するため、ダイヤフラム５ｂが第４室５０４側に変形する。
これにより、ダイヤフラム５ｂに固定されている弁体５１ｑには、弾性バネ５ｒの反力以上の力がかかって押し下げられるため（図中、右側に移動）、第４室５０４と流出口５ｐとの流路が開かれて、第４室５０４内の水が流出口５ｐから排水される。
（６）このとき、第４室５０４には、補給水管５ｚから補給水が常時流入するようになっているが、その流入量は、弁体５１ｑが開いて、流出口５ｐから排水される排水量よりも少ないため、第４室５０４内の圧力は大気圧程度にまで低下する。
【０１５５】
（７）第４室５０４内の圧力が大気圧程度にまで低下すると、開閉弁４内に充水されている水は、取出口４ｆから連通管５ｖを通じて第４室５０４に流入して、流出口５ｐから排水される。
これにより、開閉弁４の弁体４ｂを排出口４ｅ側に押す力が少なくなるため、バネ４ｃの縮む方向の付勢力によって弁体４ｂが図中左側に移動して流入口４ｄが開き、ドレン室１０２内のドレン排水が流入口４ｄを通じて、排出口４ｅから排出され始める。
（８）ドレン室１０２内のドレン排水の排出が開始されることにより、ドレン室１０２内の水圧が急激に低下して、原水室１０１Ｂとの間に圧力差が生じると、回転洗浄器３の吸引ノズル３ｂに吸引力が発生する。
回転洗浄器３の吸引ノズル３ｂに吸引力が発生すると、吸引ノズル３ｂの先端の開口から原水室１０１Ｂ内の原水と一緒に、円筒形スクリーン２の内面の付着物が吸引される。
（９）回転洗浄器３の吸引ノズル３ｂにより吸引された原水と付着物は、連通管３ａを通じて、立上部３ｄの吐出口３ｃから排水される。
また、この吐出したときの水勢によって、連通管３ａに回転力が与えられて、回転洗浄器３が連通管３ａの管軸を中心に回転運動を開始する。
【０１５６】
（１０）一方、（７）の時と同時期において、円筒形スクリーン２の内周面全体の付着物が除去されると、ドレン室１０２とろ過水室１０１Ｃとの間の水圧差が低下する。
これにより、第１室５０１と第２室５０２との間の水圧差も低下して、ダイヤフラム５ａが元の位置に戻り（変形が解消）、弁体５ｇもバネ５ｈの付勢力によって元の位置に戻って、突出空間部５ｃの取出口５ｄが再び塞がれる。
（１１）突出空間部５ｃの取出口５ｄが閉塞されると、第３室５０３に対するろ過処理水の流出が停止する。
また、第３室５０３から連通孔５ｓを通じて流出口５ｐへ水が徐々に流出していくことによって、第３室５０３内の圧力は大気圧にまで低下していく。
【０１５７】
（１２）しかし、（７）の時と同時期に、シリンダ９ｂの取出口９ｃと制御器５の第４室５０４も連通管９ｄで接続されているため、シリンダ９ｂ内の水圧も低下し始める。
そして、ピストン９ａのドレン室１０２側の水圧の方が高いため、ピストン９ａは、シリンダ９ｂの取出口９ｃ側に移動し始め、シリンダ９ｂ内の水は第４室５０４を経由して、流出口５ｐから少量ずつ排水されていくようになる。
また、シリンダ９ｂのもう１つの取出口９ｅと制御器５の第５室５０５とが連通管９ｆによって接続されているので、ピストン９ａが取出口９ｃ，９ｅ側に移動している間中、ピストン９ａで押された水の一部が第５室５０５に流入し続ける。
なお、シリンダ１２ｈの取出口１２ｉが連通管９ｐによって制御器５の取出口５１ｙと接続されているため、保護管洗浄具１２のシリンダ１２ｈ内の水圧（図中、ピストン１２ｇより右側の空間の水圧）が、シリンダ９ｂ内の水圧と同じになり、また、シリンダ１２ｈの取出口１２ｊが連通管９ｑによって制御器５の取出口５１ｕと接続されているため、取出口１２ｊが設置されている側のシリンダ１２ｈ内の水圧（図中、ピストン１２ｇが存在している側の空間の水圧）がドレン室１０２の水圧と同じなる。
そのため、ピストン９ａがシリンダ９ｂの取出口９ｃ側に移動し始めると、保護管洗浄具１２のピストン１２ｇもシリンダ１２ｈの取出口１２ｉ側に移動を開始する。
【０１５８】
（１３）第１室５０１から第３室５０３への水の流入が停止した後は、第３室５０３の水圧で第４室５０４の弁体５１ｑが開いているのを継続させることができなくなるが、ピストン９ａから第５室５０５への水の流入が継続している限り（ピストン９ａが作動している限り）、第５室５０５の水圧によってダイヤフラム５ｗが第３室５０３側に変形し、それに伴って弁体５１ｑを第４室５０４側に押すことで、第４室５０４の弁体５１ｑを開いた状態に継続させる。
即ち、ピストン９ａが移動中は、第５室５０５内の水圧が高い状態を保持しているので、第４室５０４の弁体５１ｑは開いた状態を継続している。
【０１５９】
（１４）吸引ノズル３ｂは、円筒形スクリーン２の内周面に沿って回転し、同時にピストン９ａが回転軸方向に移動する。つまり、円筒形スクリーン２の内周面を螺旋軌道で移動しながら、原水と一緒に付着物を吸引して、円筒形スクリーン２の内周面全体の付着物を除去する。
また、保護管洗浄具１２のワイパー１２ｃは、紫外線照射器１１の保護管１１ｂにおける外周表面に接触しながら保護管１１ｂの長手方向に移動する。つまり、紫外線照射器１１の保護管１１ｂの外周面を軸方向に移動しながら、保護管１１ｂに付着している酸化物を除去する。
【０１６０】
（１５）ピストン９ａが取出口９ｃ，９ｅ側の移動限界点まで移動したとき、ピストン９ａから第５室５０５への水の供給が停止し、第５室５０５内の水圧が低下して、ダイヤフラム５ｗおよび弁体５１ｑが元の位置に戻り、さらにダイヤフラム５ｂ及び第４室５０４の弁体５１ｑが元の位置に戻って、第４室５０４から流出口５ｐへの流路が再び閉じられ、第４室５０４からの排水が停止する。
（１６）補給水管５ｚから第４室５０４に補給水が流入することにより、第４室５０４内に補給水が充填され、さらに、第４室５０４から開閉弁４の取出口４ｆに給水される。
これにより、開閉弁４の弁体４ｂが水圧で元の位置に戻って、開閉弁４の流入口４ｄが閉じられ、ドレン室１０２からのドレン排水が停止する。
（１７）その後、吐出口３ｃからの吐出水によってドレン室１０２内の水圧が上昇して、原水室１０１Ｂと同圧となると、吸引ノズル３ｂの吸引力がなくなる。
また、立上部３ｄの吐出口３ｃからの吐出水も停止し、連通管３ａへの回転力もなくなるため、回転洗浄器３の回転運動が停止する。
（１８）第４室５０４からシリンダ９ｂへ水が供給され、ドレン室１０２側よりもシリンダ９ｂの取出口９ｃ，９ｅ側の水圧の方が高くなると、ピストン９ａがドレン室１０２側の移動限界点まで移動する。同時にピストン１２ｇについても取出口１２ｊ側に移動して初期位置に戻り、円筒形スクリーン２及び保護管１１ｂの洗浄作業が終了する。
なお、この実施の形態１３では、実施の形態２に示したものと同様の制御器５を適用したが、実施の形態６に示したフラッシュバルブ構造の制御器６も適用可能である。また、開閉弁４および制御器５に代えて、実施の形態７に示したフラッシュバルブ構造の開閉弁７も適用可能である。さらに、実施の形態８に示した差圧ピストン８も同様に適用可能である。
【０１６１】
以上で明らかなように、この実施の形態１３による水処理装置によれば、原水をろ過処理した後、紫外線処理を行う水処理装置の場合においても、回転洗浄器３の立上部３ｄの吐出口３ｃの回転運動と、ピストン９ａとシリンダ９ｂからなる往復動手段９による往復動によって、吸引ノズル３ｂを螺旋軌道で移動させ、かつワイパー１２ｃを保護管１１ｂの長手方向に移動させる場合、制御器５によるシリンダ９ｂ内の水圧操作によって往復動を実現したので、電動機等の動力源を不要とすることができ、イニシャルコストの大幅な低減が図れる大きな効果を奏する。また、電気や発電機の稼動のための燃料等を不要とすることができる大きな効果も奏する。
また、吸引ノズル３ｂを円筒形スクリーン２の内面を螺旋軌道で移動させるため、１本の吸引ノズル３ｂが円筒形スクリーン２の内面の付着物を吸引する面積を大きくすることができるので、吸引ノズル３ｂの本数を大幅に減らすことができる効果を奏する。また、これによって、吸引ノズル３ｂの１本当りの吸引力が増大し、洗浄効率が大幅に向上する効果を奏する。
同様に、ワイパー１２ｃを保護管１１ｂの外周表面を軸方向に移動させるため、小さなワイパー１２ｃ（ワイパー１２ｃは、図１のワイパー１２ａと比べて小さい）を用いて、保護管１１ｂに付着している酸化物を除去することができる。
【０１６２】
実施の形態１４．
図１４はこの発明の実施の形態１４による水処理装置を示す構成図である。この実施の形態１４の水処理装置も実施の形態１３の場合と同様に、原水に対してろ過処理を行った後に、紫外線処理を行う構成となっている。図１４において、図１３と同一符号は同一または相当部分を示すので説明を省略する。
保護管洗浄具１２はろ過水室１０１Ｃに設置され、２個のワイパー１２ｃ、ピストン１２ｇ及びシリンダ１２ｈから構成されている。
【０１６３】
上記実施の形態１３では、１個の紫外線照射器１１に対して、１個の保護管洗浄具１２で保護管１１ｂを洗浄するものについて示したが、図１４に示すように、２個の紫外線照射器１１に対して１個の保護管洗浄具１２で保護管１１ｂを洗浄するようにしてもよい。
しかし、この場合、２個の紫外線照射器１１の保護管１１ｂの外周表面における付着物を除去する必要があるので、図１４に示すように、保護管洗浄具１２のピストン１２ｇが２個のワイパー１２ｃを支持するようにしている。
２個のワイパー１２ｃは、上記実施の形態１３と同様に、保護管１１ｂの長手方向に移動して、保護管１１ｂの外周表面に付着している不溶性酸化物を除去する。
これにより、紫外線照射器１１を２個設置する場合でも、保護管１１ｂの外周表面に付着している酸化物を除去することができる。
ここでは、紫外線照射器１１を２個設置するものについて示したが、紫外線照射器１１を３個以上設置して、保護管洗浄具１２のピストン１２ｇが３個以上のワイパー１２ｃを支持するようにしてもよい。
【０１６４】
［実施例］
下水道処理施設での二次処理水にオゾンを添加した水を原水として、実施の形態１に示した水処理装置を用いて実験を行っている。
実験で用いた水処理装置では、容器１の原水前室１０１Ａが０．０６４ｍ3（６４Ｌ）、原水室が０．０１６ｍ3（１６Ｌ）の容量である。
また、円筒形スクリーン２は、ステンレス製の３０メッシュのものを使用し、紫外線照射器１１には、消費電力１００Ｗの低圧型紫外線照射器を使用している。
また、下水道処理施設の二次処理水へのオゾンの添加量は、１５ｍｇＯ3／Ｌとしている。
オゾンの添加方法は、二次処理水が流れる配管中へのライン注入によって行っている。即ち、オゾン注入時の滞留時間をほとんど取っていない。なお、実験の比較対照として、同一の原水に対し、従来技術である紫外線処理のみを行った場合と、ろ過処理のみを行った場合についてもそれぞれ実験を行っている。以下の表１はその実験結果を示している。
【表１】
2007125511.tif 000003
【０１６５】
表１中のＳＳは、処理水中の浮遊物質濃度のことであり、ＣＯＤMnは、処理水中の過マンガン酸カリウムによる酸素要求量ことである。
実験結果を見ると、この実施の形態１の発明による水処理では、従来技術である紫外線照射処理のみの場合やろ過処理のみの場合と比べて、ＳＳ，ＣＯＤMn，大腸菌群数のいずれの項目に対しても優れた処理能力を有していることが明らかである。そのほかの各実施の形態の水処理装置についても、同様の結果を得ることができており、この発明の水処理装置は、従来の水処理装置と比べて、格段に優れていることが実証できている。
【図面の簡単な説明】
【０１６６】
【図１】この発明の実施の形態１による水処理装置を示す構成図である。
【図２】この発明の実施の形態２による水処理装置を示す構成図である。
【図３】この発明の実施の形態３による水処理装置を示す構成図である。
【図４】この発明の実施の形態４による水処理装置を示す構成図である。
【図５】この発明の実施の形態５による水処理装置を示す構成図である。
【図６】この発明の実施の形態６による水処理装置を示す構成図である。
【図７】この発明の実施の形態７による水処理装置を示す構成図である。
【図８】この発明の実施の形態８による水処理装置を示す構成図である。
【図９】この発明の実施の形態９による水処理装置を示す構成図である。
【図１０】この発明の実施の形態１０による水処理装置を示す構成図である。
【図１１】この発明の実施の形態１１による水処理装置を示す構成図である。
【図１２】この発明の実施の形態１２による水処理装置を示す構成図である。
【図１３】この発明の実施の形態１３による水処理装置を示す構成図である。
【図１４】この発明の実施の形態１４による水処理装置を示す構成図である。
【符号の説明】
【０１６７】
１  容器
１０１  ろ過処理室
１０２  ドレン室
１０１Ａ  原水前室
１０１Ｂ  原水室
１０１Ｃ  ろ過水室
１ａ  隔壁
１ｂ  支持部材
１ｃ  原水流入口
１ｄ  ろ過水流出口
１ｅ  排水口
１ｆ  取出口
１ｇ  取出口
１ｈ，１ｊ  軸受
１ｉ  取出口
１ｋ  処理水流出口
２  円筒形スクリーン
３  回転洗浄器
３ａ  連通管
３ｂ  吸引ノズル
３ｃ  吐出口
３ｄ  立上部
３ｅ，３ｆ  シャフト
４  開閉弁
４ａ  弁箱
４ｂ  弁体
４ｃ  バネ
４ｄ  流入口
４ｅ  排出口
４ｆ  取出口
４ｇ  取出口
４ｈ  係止部
５  制御器
５０１  第１室
５０２  第２室
５０３  第３室
５０４  第４室
５０５  第５室
５ａ，５ｂ，５ｗ  ダイヤフラム
５ｃ，５ｎ  突出空間部
５ｄ，５ｅ，５ｊ，５ｍ，５ｔ，５ｕ，５１ｕ  取出口
５ｆ，５ｉ，５ｋ，５ｖ  連通管
５ｇ，５ｑ，５１ｑ  弁体
５ｈ，５ｒ  バネ
５ｐ  流出口
５ｓ  連通孔
５ｘ，５ｙ，５１ｙ  取出口
５ｚ  補給水管
６  制御器
６０  本体
６０１  水圧室
６０２  流入室
６０３  吐水室
６０４  感知室
６ａ  主シリンダ
６ｂ，６ｃ  取出口
６ｄ  突起部
６ｅ  隔壁
６ｆ，６ｇ  開口
６ｈ  副シリンダ
６ｊ，６ｍ  取出口
６ｋ  筒状体
６１  ピストンバルブ
６２  押し棒
６２ａ  弁体部
６２ｂ  弁棒部
６１１  筒状弁体
６１１ａ，６１１ｂ  突起部
６１１ｃ  隔壁
６１２  逃し弁体
６１２ａ  弁体部
６１２ｂ  弁棒部
６３，６４，６５  パッキン
６６  パッキン支持材
６７，６９  バネ
６８  係止部材
２０，２１，２２，２３，２５，２６  連通管
２４  逆流防止弁
７  制御器
７０  本体
７０１  水圧室
７０２  流入室
７０３  吐水室
７０４  感知室
７ａ  主シリンダ
７ｂ  取出口
７ｃ  排水口
７ｄ  突起部
７ｅ  隔壁
７ｆ，７ｇ  開口
７ｈ  副シリンダ
７ｊ，７ｍ  取出口
７ｋ  筒状体
７１  ピストンバルブ
７２  押し棒
７２ａ  弁体部
７２ｂ  弁棒部
７１１  筒状弁体
７１１ａ，７１１ｂ  突起部
７１１ｃ  隔壁
７１２  逃し弁体
７１２ａ  弁体部
７１２ｂ  弁棒部
７３，７４，７５  パッキン
７６  パッキン支持材
７７，７９  バネ
７８  係止部材
８  差圧ピストン
８０１  第１室
８０２  第２室
８０３  第３室
８ａ  ダイヤフラム
８ｂ  ピストン
８ｃ，８ｄ，８ｅ  取出口
９  往復動手段
９ａ  ピストン
９ｂ  シリンダ
９ｃ  取出口
９ｄ  連通管
９ｅ  取出口
９ｆ  連通管
９ｈ  スライドピン
９ｉ  円筒カム
９ｊ  スライド溝
９ｋ  シャフト
９ｍ  ギア
９ｎ  ギア
９ｐ，９ｑ  連通管
１１  紫外線照射器
１１ａ  紫外線ランプ
１１ｂ  保護管
１２  保護管洗浄具
１２ａ，１２ｃ  ワイパー
１２ｂ，１２ｄ  フレーム
１２ｅ  吸引管
１２ｆ  吸引ノズル
１２ｇ  ピストン
１２ｈ  シリンダ
１２ｉ，１２ｊ  取出口
【図１】
2007125511.tif 000004
【図２】
2007125511.tif 000005
【図３】
2007125511.tif 000006
【図４】
2007125511.tif 000007
【図５】
2007125511.tif 000008
【図６】
2007125511.tif 000009
【図７】
2007125511.tif 000010
【図８】
2007125511.tif 000011
【図９】
2007125511.tif 000012
【図１０】
2007125511.tif 000013
【図１１】
2007125511.tif 000014
【図１２】
2007125511.tif 000015
【図１３】
2007125511.tif 000016
【図１４】
2007125511.tif 000017